(57)【要約】【課題】新規発光材料を提供する。または、新規有機金属錯体を提供する。または、キャリアの輸送性が高い有機金属錯体を提供する。また、ＨＯＭＯ準位及び／又はＬＵＭＯ準位が深い有機金属錯体を提供する。また、電荷の注入性が良好な有機金属錯体を提供する。また、緑色から青色のりん光を呈することが可能な有機金属錯体を提供する。また、キャリア輸送性が良好であり且つ緑色から青色のりん光を呈する有機金属錯体を提供する。【解決手段】５−（２−ピリジニル）−５Ｈ−ベンゾイミダゾ［１，２−ａ］ベンゾイミダゾール構造を有する配位子を含む有機金属錯体及びそれを用いた発光材料を提供する。【選択図】なし【特許請求の範囲】
【請求項１】
５−（２−ピリジニル）−５Ｈ−ベンゾイミダゾ［１，２−ａ］ベンゾイミダゾール構造を有する配位子を含む有機化合物を用いた発光材料。
【請求項２】
下記一般式（Ｇ０）で表される構造を有する配位子を含む有機化合物を用いた発光材料。
【化１】
2017119866.tif 000063
（但し、一般式（Ｇ０）中、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。）
【請求項３】
下記一般式（Ｇ１）で表される部分構造を有する有機金属錯体を用いた発光材料。
【化２】
2017119866.tif 000064
（但し、一般式（Ｇ１）中、Ｍは第９族元素又は第１０族元素を表し、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。）
【請求項４】
下記一般式（Ｇ２）で表される有機金属錯体を用いた発光材料。
【化３】
2017119866.tif 000065
（但し、一般式（Ｇ２）中、Ｍは第９族元素又は第１０族元素を表し、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ｌはシクロメタル化による金属−炭素結合を形成しうる芳香族複素環２座配位子又はモノアニオン性キレート配位子を表す。また、Ｍが第９族元素の場合、ｎは０から２の整数を表し、ｍは１から３の整数を表し、ｎ＋ｍは３である。また、Ｍが第１０族元素である場合、ｎは０又は１であり、ｍは１又は２であり、ｎ＋ｍは２である。なお、ＬはＲ１からＲ１１のいずれか一又は複数と、直接又は置換又は無置換の炭素、置換又は無置換のケイ素、酸素、硫黄若しくは窒素を介した架橋による結合を有していても良い。）
【請求項５】
下記一般式（Ｇ３）で表される有機金属錯体を用いた発光材料。
【化４】
2017119866.tif 000066
（但し、一般式（Ｇ３）中、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ｌはシクロメタル化による金属−炭素結合を形成しうる芳香族複素環２座配位子又はモノアニオン性キレート配位子を表す。また、ｎは０又は１であり、ｍは１又は２であり、ｎ＋ｍは２である。なお、ＬはＲ１からＲ１１のいずれか一又は複数と、直接又は置換又は無置換の炭素、置換又は無置換のケイ素、酸素、硫黄若しくは窒素を介した架橋による結合を有していても良い。）
【請求項６】
下記一般式（Ｇ４）で表される有機金属錯体を用いた発光材料。
【化５】
2017119866.tif 000067
（但し、一般式（Ｇ４）中、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ｌはシクロメタル化による金属−炭素結合を形成しうる芳香族複素環２座配位子又はモノアニオン性キレート配位子を表す。また、ｎは０から２の整数を表し、ｍは１から３の整数を表し、ｎ＋ｍは３である。なお、ＬはＲ１からＲ１１のいずれか一又は複数と、直接又は置換又は無置換の炭素、置換又は無置換のケイ素、酸素、硫黄若しくは窒素を介した架橋による結合を有していても良い。）
【請求項７】
請求項４乃至請求項６のいずれか一項において、Ｌが下記一般式（Ｌ１）から（Ｌ１２）のいずれか一又は複数で表される発光材料。
【化６】
2017119866.tif 000068
【化７】
2017119866.tif 000069
（但し、一般式（Ｌ１）から（Ｌ１２）において、Ｒ２９からＲ３２、Ｒ７１からＲ１０２は、それぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、及び置換又は無置換の炭素数１から６のアルキルチオ基から選ばれるいずれか一を表す。また、Ａｒは置換又は無置換の炭素数６から１０のアリール基を表す。また、Ａ１からＡ３は、それぞれ独立に、窒素、水素と結合するｓｐ２混成炭素、または置換基Ｒと結合するｓｐ２炭素を表し、Ａ４からＡ１１は、それぞれ独立に、窒素、または置換基Ｒと結合するｓｐ２炭素を表し、前記置換基Ｒは炭素数１から６のアルキル基、ハロゲン基、炭素数１から６のハロアルキル基、またはフェニル基のいずれか一を表す。また、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、Ｘ１、Ｙ１及びＺ１はそのうち２又は３が炭素原子であり、当該炭素原子は置換基を有していても有していなくても良い。また、Ｘ２及びＺ２、Ｙ３及びＺ３、Ｘ４及びＹ４においては、一方が窒素原子であった場合、他方は炭素原子である。また、これらＸ、Ｙ及びＺが炭素原子であった場合、当該炭素原子は置換基を有していても有していなくても良い。）
【請求項８】
請求項１乃至請求項７のいずれか一項に記載の発光材料を用いた発光素子。
【請求項９】
下記一般式（Ｇ５）で表される有機金属錯体。
【化８】
2017119866.tif 000070
（但し、一般式（Ｇ５）において、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ａは五員複素芳香環骨格を表し、当該骨格中に２又は３の窒素原子を含み、Ａｒは炭素数６から１４の２価のアリーレン基又は炭素数３から１５且つヘテロ原子１から５の２価のヘテロアリーレン基を表す。なお、一般式（Ｇ５）においてＲ１からＲ１１が結合している炭素のいずれかとＡｒを構成する元素のいずれかは直接、又は置換又は無置換の炭素、置換又は無置換のケイ素、酸素、硫黄もしくは窒素いずれかの架橋により結合していても良い。）
【請求項１０】
下記一般式（Ｇ５）で表される有機金属錯体。
【化９】
2017119866.tif 000071
（但し、一般式（Ｇ５）において、Ａはが下記一般式（ｐ１）から（ｐ４）で表される骨格のいずれか一を表す。）
【化１０】
2017119866.tif 000072
（但し、一般式（Ｇ５）及び一般式（ｐ１）から一般式（ｐ４）において、Ｒ１からＲ１１及びＲ２９からＲ３１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、一般式（Ｇ５）においてＲ１からＲ１１が結合する炭素のいずれかとＡｒを構成する元素のいずれかは直接、又は酸素、硫黄もしくは窒素いずれかの架橋により結合していても良い。また、一般式（ｐ１）から一般式（ｐ４）において、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、Ｘ１、Ｙ１及びＺ１はそのうち２又は３が炭素原子であり、当該炭素原子は置換基を有していても有していなくても良い。また、Ｘ２及びＺ２、Ｙ３及びＺ３、Ｘ４及びＹ４においては、一方が窒素原子であった場合、他方は炭素原子である。これらＸ、Ｙ及びＺが炭素原子であった場合、当該炭素原子は置換基を有していても有していなくても良い。）
【請求項１１】
下記一般式（Ｇ５１）で表される有機金属錯体。
【化１１】
2017119866.tif 000073
（但し、一般式（Ｇ５１）において、Ｒ１からＲ１１及びＲ２５からＲ２８はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ａは五員複素芳香環骨格を表し、当該骨格中に２又は３の窒素原子を含む。なお、一般式（Ｇ５１）においてＲ１１が結合する炭素とＲ２８が結合する炭素は直接、又は置換又は無置換の炭素、置換又は無置換のケイ素、酸素、硫黄もしくは窒素いずれかの架橋により結合していても良い。）
【請求項１２】
下記一般式（Ｇ５１）で表される有機金属錯体。
【化１２】
2017119866.tif 000074
（但し、一般式（Ｇ５１）において、Ａはが下記一般式（ｐ１）から（ｐ４）で表される骨格のいずれか一を表す。）
【化１３】
2017119866.tif 000075
（但し、一般式（Ｇ５１）及び一般式（ｐ１）から一般式（ｐ４）において、Ｒ１からＲ１１及びＲ２５からＲ３１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、一般式（Ｇ５１）においてＲ１１が結合している炭素とＲ２８が結合している炭素は直接、又は酸素、硫黄もしくは窒素いずれかの架橋により結合していても良い。また、一般式（ｐ１）から一般式（ｐ４）において、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、Ｘ１、Ｙ１及びＺ１はそのうち２又は３が炭素原子であり、当該炭素原子は置換基を有していても有していなくても良い。また、Ｘ２及びＺ２、Ｙ３及びＺ３、Ｘ４及びＹ４においては、一方が窒素原子であった場合、他方は炭素原子である。これらＸ、Ｙ及びＺが炭素原子であった場合、当該炭素原子は置換基を有していても有していなくても良い。）
【請求項１３】
下記一般式（Ｇ５２）で表される有機金属錯体。
【化１４】
2017119866.tif 000076
（但し、一般式（Ｇ５２）において、Ｒ１からＲ１１、Ｒ２５からＲ２８及びＲ３３からＲ３５はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。なお、一般式（Ｇ５２）においてＲ１１が結合している炭素とＲ２８が結合している炭素は直接、又は置換又は無置換の炭素、置換又は無置換のケイ素、酸素、硫黄もしくは窒素いずれかの架橋により結合していても良い。）
【請求項１４】
下記一般式（Ｇ５３）で表される有機金属錯体。
【化１５】
2017119866.tif 000077
（但し、一般式（Ｇ５３）において、Ｒ１からＲ１０及びＲ２５からＲ２７はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ａは五員複素芳香環骨格を表し、当該骨格中に２又は３の窒素原子を含む。また、Ｑは単結合、炭素原子、ケイ素原子、酸素原子、硫黄原子及び窒素原子のいずれか一を表す。なお、Ｑが炭素原子又はケイ素原子である場合は置換基を有していても良い。）
【請求項１５】
下記一般式（Ｇ５３）で表される有機金属錯体。
【化１６】
2017119866.tif 000078
（但し、一般式（Ｇ５３）において、Ａはが下記一般式（ｐ１）から（ｐ４）で表される骨格のいずれか一を表す。）
【化１７】
2017119866.tif 000079
（但し、一般式（Ｇ５３）及び一般式（ｐ１）から一般式（ｐ４）において、Ｒ１からＲ１１、Ｒ２５からＲ２７及びＲ２９からＲ３１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、一般式（Ｇ５３）において、Ｑは単結合、炭素原子、ケイ素原子、酸素原子、硫黄原子及び窒素原子のいずれか一を表す。なお、Ｑが炭素原子又はケイ素原子である場合は置換基を有していても良い。また、一般式（ｐ１）から一般式（ｐ４）において、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、Ｘ１、Ｙ１及びＺ１はそのうち２又は３が炭素原子であり、当該炭素原子は置換基を有していても有していなくても良い。また、Ｘ２及びＺ２、Ｙ３及びＺ３、Ｘ４及びＹ４においては、一方が窒素原子であった場合、他方は炭素原子である。これらＸ、Ｙ及びＺが炭素原子であった場合、当該炭素原子は置換基を有していても有していなくても良い。）
【請求項１６】
下記一般式（Ｇ５４）で表される有機金属錯体。
【化１８】
2017119866.tif 000080
（但し、一般式（Ｇ５４）において、Ｒ１からＲ１０、Ｒ２５からＲ２７及びＲ３３からＲ３５はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ｑは単結合、炭素原子、ケイ素原子、酸素原子、硫黄原子及び窒素原子のいずれか一を表す。なお、Ｑが炭素原子又はケイ素原子である場合は置換基を有していても良い。）
【請求項１７】
下記一般式（Ｇ５５）で表される有機金属錯体。
【化１９】
2017119866.tif 000081
（但し、一般式（Ｇ５５）において、Ｒ１からＲ１０、Ｒ２５からＲ２７及びＲ３３からＲ３５はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。）
【請求項１８】
請求項１３、請求項１６及び請求項１７のいずれか一項において、Ｒ３３からＲ３５が水素である有機金属錯体。
【請求項１９】
請求項１１乃至請求項１８のいずれか一項において、Ｒ２５からＲ２７が水素である有機金属錯体。
【請求項２０】
請求項９乃至請求項１９のいずれか一項において、Ｒ５がメチル基である有機金属錯体。
【請求項２１】
請求項９乃至請求項２０のいずれか一項において、Ｒ１からＲ４及びＲ６からＲ１０が水素である有機金属錯体。
【請求項２２】
下記構造式（１００）で表される有機金属錯体。
【化２０】
2017119866.tif 000082
【請求項２３】
請求項９乃至請求項２２のいずれか一項において、
青色の発光を呈する有機金属錯体。
【請求項２４】
請求項９乃至請求項２３のいずれか一項の有機金属錯体を用いた発光材料。
【請求項２５】
第１の電極と、
第２の電極と、
ＥＬ層とを有し、
前記ＥＬ層は前記第１の電極と前記第２の電極と間に位置し、
前記ＥＬ層に請求項９乃至請求項２３のいずれか一に記載の有機金属錯体を含む発光素子。
【請求項２６】
請求項２５において、
前記ＥＬ層が発光層を有し、
前記有機金属錯体が前記発光層に含まれる発光素子。
【請求項２７】
請求項８、請求項２５及び請求項２６のいずれか一項に記載の発光素子において、
青色発光を呈する発光素子。
【請求項２８】
請求項８、請求項２５乃至請求項２７のいずれか一項に記載の発光素子と、
トランジスタ、または、基板と、
を有する発光装置。
【請求項２９】
請求項２８に記載の発光装置と、
センサ、操作ボタン、スピーカ、または、マイクと、
を有する電子機器。
【請求項３０】
請求項２８に記載の発光装置と、
筐体と、
を有する照明装置。
【発明の詳細な説明】
【技術分野】
【０００１】
本発明の一態様は、有機金属錯体及び当該有機金属錯体を用いた発光素子、ディスプレイモジュール、照明モジュール、表示装置、発光装置、電子機器及び照明装置に関する。なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、液晶表示装置、発光装置、照明装置、蓄電装置、記憶装置、それらの駆動方法、または、それらの製造方法、を一例として挙げることができる。
【背景技術】
【０００２】
薄型軽量、入力信号に対する高速な応答性、低消費電力などのポテンシャルから、次世代の照明装置や表示装置として有機化合物又は有機金属錯体を発光物質とする発光素子（有機ＥＬ素子）を用いた表示装置が開発、発表されている。
【０００３】
有機ＥＬ素子は電極間に発光層を挟んで電圧を印加することにより、電極から注入された電子およびホールが再結合して発光物質が励起状態となり、その励起状態が基底状態に戻る際に発光する。発光物質が発する光のスペクトルはその発光物質特有のものであり、異なる種類の発光物質を用いることによって、様々な色の発光を呈する発光素子を得ることができる。
【０００４】
このように発光素子を用いたディスプレイや照明装置はさまざまな電子機器に適用好適であるが、その性能にはまだまだ改善の余地がある。特に、緑から青色のりん光を発する材料の種類は多くなく、また、更なる特性の向上が求められている。
【０００５】
特許文献１にはフェノチアジン骨格を含む配位子を有するイリジウム錯体が開示されている。
【先行技術文献】
【特許文献】
【０００６】
【特許文献１】国際公開第２００４／０８１０１９号パンフレット
【発明の概要】
【発明が解決しようとする課題】
【０００７】
青色りん光を呈する発光材料は、未だその種類が他の色と比較して圧倒的に少ない。その上、そのうち多くの材料でＨＯＭＯ準位が浅いという不都合な点がある。緑色から青色りん光を呈する有機金属錯体には、ＨＯＭＯ準位、ＬＵＭＯ準位共に浅い位置にあるものが多く、発光層に注入されたキャリアがトラップされてしまい、駆動電圧の上昇や、素子寿命の低下などを引き起こす原因となる場合があった。
【０００８】
そこで、本発明の一態様では、新規有機金属錯体を提供することを目的とする。また、キャリアの輸送性が高い有機金属錯体を提供することを目的とする。また、ＨＯＭＯ準位及び／又はＬＵＭＯ準位が深い有機金属錯体を提供することを目的とする。また、電荷の注入性が良好な有機金属錯体を提供することを目的とする。また、緑色から青色のりん光を呈することが可能な有機金属錯体を提供することを目的とする。また、キャリア輸送性が良好であり且つ緑色から青色のりん光を呈する有機金属錯体を提供することを目的とする。
【０００９】
または、本発明の他の一態様は、新規な発光材料を提供することを目的とする。または、新しい発光素子を提供することを目的とする。または、発光効率の高い発光素子を提供することを目的とする。または、消費電力の小さいディスプレイモジュール、照明モジュール、発光装置、表示装置、電子機器、及び照明装置を各々提供することを目的とする。
【００１０】
本発明の一態様は上述の課題のうちいずれか一を解決すればよいものとする。なお、これらの課題の記載は、他の課題の存在を妨げるものではない。なお、本発明の一態様は、必ずしも、これらの課題の全てを有する必要はない。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【００１１】
本発明の一態様は、５−（２−ピリジニル）−５Ｈ−ベンゾイミダゾ［１，２−ａ］ベンゾイミダゾール構造を有する配位子を含む有機化合物を用いた発光材料である。
【００１２】
また、本発明の他の一態様は、下記一般式（Ｇ０）で表される構造を有する配位子を含む有機化合物を用いた発光材料である。
【００１３】
【化１】
2017119866.tif 000002
【００１４】
但し、一般式（Ｇ０）中、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。
【００１５】
本発明の他の一態様は、下記一般式（Ｇ１）で表される部分構造を有する有機金属錯体を用いた発光材料である。
【００１６】
【化２】
2017119866.tif 000003
【００１７】
但し、一般式（Ｇ１）中、Ｍは第９族元素又は第１０族元素を表し、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。
【００１８】
本発明の他の一態様は、下記一般式（Ｇ２）で表される有機金属錯体を用いた発光材料である。
【００１９】
【化３】
2017119866.tif 000004
【００２０】
但し、一般式（Ｇ２）中、Ｍは第９族元素又は第１０族元素を表し、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ｌはシクロメタル化による金属−炭素結合を形成しうる芳香族複素環２座配位子又はモノアニオン性キレート配位子を表す。また、Ｍが第９族元素の場合、ｎは０から２の整数を表し、ｍは１から３の整数を表し、ｎ＋ｍは３である。また、Ｍが第１０族元素である場合、ｎは０又は１であり、ｍは１又は２であり、ｎ＋ｍは２である。なお、ＬはＲ１からＲ１１のいずれか一又は複数と、直接又は置換又は無置換の炭素、置換又は無置換のケイ素、酸素、硫黄若しくは窒素を介した架橋による結合を有していても良い。
【００２１】
本発明の他の一態様は、下記一般式（Ｇ３）で表される有機金属錯体を用いた発光材料である。
【００２２】
【化４】
2017119866.tif 000005
【００２３】
但し、一般式（Ｇ３）中、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ｌはシクロメタル化による金属−炭素結合を形成しうる芳香族複素環２座配位子又はモノアニオン性キレート配位子を表す。また、ｎは０又は１であり、ｍは１又は２であり、ｎ＋ｍは２である。なお、ＬはＲ１からＲ１１のいずれか一又は複数と、直接又は置換又は無置換の炭素、置換又は無置換のケイ素、酸素、硫黄若しくは窒素を介した架橋による結合を有していても良い。
【００２４】
本発明の他の一態様は、下記一般式（Ｇ４）で表される有機金属錯体を用いた発光材料である。
【００２５】
【化５】
2017119866.tif 000006
【００２６】
但し、一般式（Ｇ４）中、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ｌはシクロメタル化による金属−炭素結合を形成しうる芳香族複素環２座配位子又はモノアニオン性キレート配位子を表す。また、ｎは０から２の整数を表し、ｍは１から３の整数を表し、ｎ＋ｍは３である。なお、ＬはＲ１からＲ１１のいずれか一又は複数と、直接又は置換又は無置換の炭素、置換又は無置換のケイ素、酸素、硫黄若しくは窒素を介した架橋による結合を有していても良い。
【００２７】
本発明の他の一態様は、上記いずれかに記載の発光材料において、Ｌが下記一般式（Ｌ１）から（Ｌ１２）のいずれか一又は複数で表される発光材料である。
【００２８】
【化６】
2017119866.tif 000007
【００２９】
【化７】
2017119866.tif 000008
【００３０】
但し、一般式（Ｌ１）から（Ｌ１２）において、Ｒ２９からＲ３２、Ｒ７１からＲ１０２は、それぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、及び置換又は無置換の炭素数１から６のアルキルチオ基から選ばれるいずれか一を表す。また、Ａｒは置換又は無置換の炭素数６から１０のアリール基を表し、具体的には、置換又は無置換の炭素数６から１０のフェニル基、あるいは置換又は無置換の炭素数６から１０のナフチル基が挙げられる。また、Ａ１からＡ３は、それぞれ独立に、窒素、水素と結合するｓｐ２混成炭素、または置換基Ｒと結合するｓｐ２炭素を表し、Ａ４からＡ１１は、それぞれ独立に、窒素、または置換基Ｒと結合するｓｐ２炭素を表し、前記置換基Ｒは炭素数１から６のアルキル基、ハロゲン基、炭素数１から６のハロアルキル基、またはフェニル基を表す。また、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、一般式（Ｌ８）におけるＸ１、Ｙ１及びＺ１はそのうち２又は３が炭素原子であり、当該炭素原子は置換基を有していても有していなくても良い。また、一般式（Ｌ９）におけるＸ２及びＺ２、一般式（Ｌ１０）におけるＹ３及びＺ３、一般式（Ｌ１１）におけるＸ４及びＹ４の各組み合わせにおいては、一方が窒素原子であった場合、他方は炭素原子である。これらＸ、Ｙ及びＺが炭素原子であった場合、当該炭素原子は置換基を有していても有していなくても良い。
【００３１】
本発明の他の一態様は、上記いずれかに記載の発光材料を用いた発光素子である。
【００３２】
本発明の他の一態様は、下記一般式（Ｇ５）で表される有機金属錯体である。
【００３３】
【化８】
2017119866.tif 000009
【００３４】
但し、一般式（Ｇ５）において、Ｒ１からＲ１１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ａは五員複素芳香環骨格を表し、当該骨格中に２又は３の窒素原子を含み、Ａｒは炭素数６から１４の２価のアリーレン基又は炭素数３から１５且つヘテロ原子１から５の２価のヘテロアリーレン基を表す。なお、一般式（Ｇ５）においてＲ１からＲ１１が結合している炭素のいずれかとＡｒを構成する元素のいずれかは直接、又は置換又は無置換の炭素、置換又は無置換のケイ素、酸素、硫黄もしくは窒素いずれかの架橋により結合していても良い。
【００３５】
本発明の他の一態様は、下記一般式（Ｇ５）で表される有機金属錯体である。
【００３６】
【化９】
2017119866.tif 000010
【００３７】
但し、一般式（Ｇ５）において、Ａはが下記一般式（ｐ１）から（ｐ４）で表される骨格のいずれか一を表す。
【００３８】
【化１０】
2017119866.tif 000011
【００３９】
但し、一般式（Ｇ５）及び一般式（ｐ１）から一般式（ｐ４）において、Ｒ１からＲ１１及びＲ２９からＲ３１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、一般式（Ｇ５）においてＲ１からＲ１１が結合している炭素のいずれかとＡｒを構成する元素のいずれかは直接、又は酸素、硫黄もしくは窒素いずれかの架橋により結合していても良い。また、一般式（ｐ１）から一般式（ｐ４）において、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、一般式（ｐ１）においてＸ１、Ｙ１及びＺ１はそのうち２又は３が炭素原子であり、当該炭素原子は置換基を有していても有していなくても良い。また、一般式（ｐ２）におけるＸ２及びＺ２、一般式（ｐ３）におけるＹ３及びＺ３、一般式（ｐ４）におけるＸ４及びＹ４の各組み合わせにおいては、一方が窒素原子であった場合、他方は炭素原子である。これらＸ、Ｙ及びＺが炭素原子であった場合、当該炭素原子は置換基を有していても有していなくても良い。
【００４０】
本発明の他の一態様は、下記一般式（Ｇ５１）で表される有機金属錯体である。
【００４１】
【化１１】
2017119866.tif 000012
【００４２】
但し、一般式（Ｇ５１）において、Ｒ１からＲ１１及びＲ２５からＲ２８はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ａは五員複素芳香環骨格を表し、当該骨格中に２又は３の窒素原子を含む。なお、一般式（Ｇ５１）においてＲ１１が結合している炭素とＲ２８が結合している炭素は直接、又は置換又は無置換の炭素、置換又は無置換のケイ素、酸素、硫黄もしくは窒素いずれかの架橋により結合していても良い。
【００４３】
本発明の他の一態様は、下記一般式（Ｇ５１）で表される有機金属錯体である。
【００４４】
【化１２】
2017119866.tif 000013
【００４５】
但し、一般式（Ｇ５１）において、Ａはが下記一般式（ｐ１）から（ｐ４）で表される骨格のいずれか一を表す。
【００４６】
【化１３】
2017119866.tif 000014
【００４７】
但し、一般式（Ｇ５１）及び一般式（ｐ１）から一般式（ｐ４）において、Ｒ１からＲ１１及びＲ２５からＲ３１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、一般式（Ｇ５１）においてＲ１１が結合している炭素とＲ２８が結合している炭素は直接、又は酸素、硫黄もしくは窒素いずれかの架橋により結合していても良い。また、一般式（ｐ１）から一般式（ｐ４）において、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、一般式（ｐ１）においてＸ１、Ｙ１及びＺ１はそのうち２又は３が炭素原子であり、当該炭素原子は置換基を有していても有していなくても良い。また、一般式（ｐ２）におけるＸ２及びＺ２、一般式（ｐ３）におけるＹ３及びＺ３、一般式（ｐ４）におけるＸ４及びＹ４の各組み合わせにおいては、一方が窒素原子であった場合、他方は炭素原子である。これらＸ、Ｙ及びＺが炭素原子であった場合、当該炭素原子は置換基を有していても有していなくても良い。
【００４８】
本発明の他の一態様は、下記一般式（Ｇ５２）で表される有機金属錯体である。
【００４９】
【化１４】
2017119866.tif 000015
【００５０】
但し、一般式（Ｇ５２）において、Ｒ１からＲ１１、Ｒ２５からＲ２８及びＲ３３からＲ３５はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。なお、一般式（Ｇ５２）においてＲ１１が結合する炭素とＲ２８が結合する炭素は直接、又は置換又は無置換の炭素、置換又は無置換のケイ素、酸素、硫黄もしくは窒素いずれかの架橋により結合していても良い。
【００５１】
本発明の他の一態様は、下記一般式（Ｇ５３）で表される有機金属錯体である。
【００５２】
【化１５】
2017119866.tif 000016
【００５３】
但し、一般式（Ｇ５３）において、Ｒ１からＲ１０及びＲ２５からＲ２７はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ａは五員複素芳香環骨格を表し、当該骨格中に２又は３の窒素原子を含む。また、Ｑは単結合、炭素原子、ケイ素原子、酸素原子、硫黄原子及び窒素原子のいずれか一を表す。なお、Ｑが炭素原子又はケイ素原子である場合は置換基を有していても良い。
【００５４】
本発明の他の一態様は、下記一般式（Ｇ５３）で表される有機金属錯体である。
【００５５】
【化１６】
2017119866.tif 000017
【００５６】
但し、一般式（Ｇ５３）において、Ａはが下記一般式（ｐ１）から（ｐ４）で表される骨格のいずれか一を表す。
【００５７】
【化１７】
2017119866.tif 000018
【００５８】
但し、一般式（Ｇ５３）及び一般式（ｐ１）から一般式（ｐ４）において、Ｒ１からＲ１０、Ｒ２５からＲ２７及びＲ２９からＲ３１はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、一般式（Ｇ５３）において、Ｑは単結合、炭素原子、ケイ素原子、酸素原子、硫黄原子及び窒素原子のいずれか一を表す。なお、Ｑが炭素原子又はケイ素原子である場合は置換基を有していても良い。また、一般式（ｐ１）から一般式（ｐ４）において、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、一般式（ｐ１）におけるＸ１、Ｙ１及びＺ１はそのうち２又は３が炭素原子であり、当該炭素原子は置換基を有していても有していなくても良い。また、一般式（ｐ２）におけるＸ２及びＺ２、一般式（ｐ３）におけるＹ３及びＺ３、一般式（ｐ４）におけるＸ４及びＹ４の各組み合わせにおいては、一方が窒素原子であった場合、他方は炭素原子である。これらＸ、Ｙ及びＺが炭素原子であった場合、当該炭素原子は置換基を有していても有していなくても良い。
【００５９】
本発明の他の一態様は、下記一般式（Ｇ５４）で表される有機金属錯体である。
【００６０】
【化１８】
2017119866.tif 000019
【００６１】
但し、一般式（Ｇ５４）において、Ｒ１からＲ１０、Ｒ２５からＲ２７及びＲ３３からＲ３５はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ｑは単結合、炭素原子、ケイ素原子、酸素原子、硫黄原子及び窒素原子のいずれか一を表す。なお、Ｑが炭素原子又はケイ素原子である場合は置換基を有していても良い。
【００６２】
本発明の他の一態様は、下記一般式（Ｇ５５）で表される有機金属錯体である。
【００６３】
【化１９】
2017119866.tif 000020
【００６４】
但し、一般式（Ｇ５５）において、Ｒ１からＲ１０、Ｒ２５からＲ２７及びＲ３３からＲ３５はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。
【００６５】
本発明の他の一態様は、上記いずれかに記載の有機金属錯体において、Ｒ３３からＲ３５が水素である有機金属錯体である。
【００６６】
本発明の他の一態様は、上記いずれかに記載の有機金属錯体において、Ｒ２５からＲ２７が水素である有機金属錯体である。
【００６７】
本発明の他の一態様は、上記いずれかに記載の有機金属錯体において、Ｒ５がメチル基である有機金属錯体である。
【００６８】
本発明の他の一態様は上記いずれかに記載の有機金属錯体において、Ｒ１からＲ４及びＲ６からＲ１０が水素である有機金属錯体である。
【００６９】
本発明の他の一態様は、下記構造式（１００）で表される有機金属錯体である。
【００７０】
【化２０】
2017119866.tif 000021
【００７１】
本発明の他の一態様は、上記いずれかに記載の有機金属錯体において、青色の発光を呈する有機金属錯体である。
【００７２】
本発明の他の一態様は、上記いずれかに記載の有機金属錯体を用いた発光材料である。
【００７３】
本発明の他の一態様は、第１の電極と、第２の電極と、ＥＬ層とを有し、前記ＥＬ層は前記第１の電極と前記第２の電極と間に位置し、前記ＥＬ層に上記いずれかに記載の有機金属錯体を含む発光素子である。
【００７４】
本発明の他の一態様は、上記いずれかに記載の発光素子において、前記ＥＬ層が発光層を有し、前記有機金属錯体が前記発光層に含まれる発光素子である。
【００７５】
本発明の他の一態様は、上記いずれかに記載の発光素子において、青色発光を呈する発光素子である。
【００７６】
本発明の他の一態様は、上記いずれかに記載の発光素子と、トランジスタ、または、基板と、を有する発光装置である。
【００７７】
本発明の他の一態様は、上記記載の発光装置と、センサ、操作ボタン、スピーカ、または、マイクと、を有する電子機器である。
【００７８】
本発明の他の一態様は、上記記載の発光装置と、筐体と、を有する照明装置である。
【００７９】
なお、本明細書中における発光装置とは、発光素子を用いた画像表示デバイスを含む。また、発光素子にコネクター、例えば異方導電性フィルム又はＴＣＰ（Ｔａｐｅ  Ｃａｒｒｉｅｒ  Ｐａｃｋａｇｅ）が取り付けられたモジュール、ＴＣＰの先にプリント配線板が設けられたモジュール、又は発光素子にＣＯＧ（Ｃｈｉｐ  Ｏｎ  Ｇｌａｓｓ）方式によりＩＣ（集積回路）が直接実装されたモジュールが、発光装置に含まれる場合がある。さらに、照明器具は、発光装置を有する場合がある。
【発明の効果】
【００８０】
本発明の一態様では、新規有機金属錯体を提供することができる。また、キャリアの輸送性が高い有機金属錯体を提供することができる。また、ＨＯＭＯ準位及び／又はＬＵＭＯ準位が深い有機金属錯体を提供することができる。また、電荷の注入性が良好な有機金属錯体を提供することができる。また、緑色から青色のりん光を呈することが可能な有機金属錯体を提供することができる。また、キャリア輸送性が良好であり且つ緑色から青色りん光を呈する有機金属錯体を提供することができる。
【００８１】
または、本発明の他の一態様は、新しい発光素子を提供することができる。または、消費電力の小さいディスプレイモジュール、照明モジュール、発光装置、表示装置、電子機器、及び照明装置を各々提供することができる。
【００８２】
本発明の一態様は上述の効果のうちいずれか一を奏すればよいものとする。なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００８３】
【図１】発光素子の概念図。
【図２】アクティブマトリクス型発光装置の概念図。
【図３】アクティブマトリクス型発光装置の概念図。
【図４】アクティブマトリクス型発光装置の概念図。
【図５】パッシブマトリクス型発光装置の概念図。
【図６】照明装置を表す図。
【図７】電子機器を表す図。
【図８】光源装置を表す図。
【図９】照明装置を表す図。
【図１０】照明装置を表す図。
【図１１】車載表示装置及び照明装置を表す図。
【図１２】電子機器を表す図。
【図１３】電子機器を表す図
【図１４】［Ｐｔ（ｐｐｚＯｂｉｂｉｐｙ）］の１Ｈ−ＮＭＲチャート。
【図１５】［Ｐｔ（ｐｐｚＯｂｉｂｉｐｙ）］の吸収スペクトル及び発光スペクトル。
【図１６】発光素子１の輝度−電流密度特性を表す図。
【図１７】発光素子１の電流効率−輝度特性を表す図。
【図１８】発光素子１の輝度−電圧特性を表す図。
【図１９】発光素子１の電流−電圧特性を表す図。
【図２０】発光素子１の外部量子効率−輝度特性を表す図。
【図２１】発光素子１の発光スペクトルを表す図。
【発明を実施するための形態】
【００８４】
以下、本発明の実施の態様について図面を用いて詳細に説明する。ただし、本発明は以下の説明に限定されず、本発明の趣旨及びその範囲から逸脱することなくその形態及び詳細を様々に変更し得ることは当業者であれば容易に理解される。したがって、本発明は以下に示す実施の形態の記載内容に限定して解釈されるものではない。
【００８５】
本発明の一態様は、５−（２−ピリジニル）−５Ｈ−ベンゾイミダゾ［１，２−ａ］ベンゾイミダゾール構造を有する配位子を含む有機化合物及び、当該有機化合物を含む発光材料である。
【００８６】
また、本発明の一態様は、下記一般式（Ｇ０）で表される構造を有する配位子を含む有機化合物及びそれを含む発光材料である。
【００８７】
【化２１】
2017119866.tif 000022
【００８８】
この配位子を有する有機化合物は、青色りん光を発する構造とすることが可能であり、この際、当該有機化合物が５−（２−ピリジニル）−５Ｈ−ベンゾイミダゾ［１，２−ａ］ベンゾイミダゾール構造を含む配位子を有することから比較的ＨＯＭＯ準位が低く、ホールが注入しやすく、ホールをトラップしにくい発光材料とすることができる。このことから、当該発光材料を用いることによって、駆動電圧の小さいエネルギー効率の良好な発光素子を得ることが容易となる。
【００８９】
また、上記有機化合物は、第９族又は第１０族の元素を中心金属とした有機金属錯体とすることによって、良好な効率で緑色から青色のりん光を得ることができる。
【００９０】
すなわち、本発明の好ましい一態様は、下記一般式（Ｇ１）で表される部分構造を有する有機金属錯体である。
【００９１】
【化２２】
2017119866.tif 000023
【００９２】
また、本発明の一態様の有機金属錯体は、上記一般式（Ｇ０）で表される配位子と、他の配位子とを有する有機金属錯体であっても良く、下記一般式（Ｇ２）のように表すこともできる。
【００９３】
【化２３】
2017119866.tif 000024
【００９４】
なお、上記一般式（Ｇ１）、（Ｇ２）中、Ｍは第９族元素又は第１０族元素を表し、特に、白金又はイリジウムが三重項励起状態からの発光を得やすいためより好ましい。
【００９５】
また、上記一般式（Ｇ２）においては、Ｍが第９族元素の場合、ｎは０から２の整数を表し、ｍは１から３の整数を表し、ｎ＋ｍは３である。また、Ｍが第１０族元素である場合、ｎは０又は１であり、ｍは１又は２であり、ｎ＋ｍは２である。
【００９６】
また、本発明の一態様の有機金属錯体は、中心金属Ｍが白金であると発光スペクトルのピーク波長が短波長の良好な緑色から青色のりん光を呈する。そのため、下記一般式（Ｇ３）で表される有機金属錯体が好ましい。
【００９７】
【化２４】
2017119866.tif 000025
【００９８】
但し、一般式（Ｇ３）中、ｎは０又は１であり、ｍは１又は２であり、ｎ＋ｍは２である。
【００９９】
また、本発明の一態様の有機金属錯体は、中心金属Ｍがイリジウムであると、発光スペクトルのピーク波長が短波長の良好な緑色から青色のりん光を呈する。そのため、下記一般式（Ｇ４）で表される有機金属錯体が好ましい。
【０１００】
【化２５】
2017119866.tif 000026
【０１０１】
但し、一般式（Ｇ４）中、ｎは０から２の整数を表し、ｍは１から３の整数を表し、ｎ＋ｍは３である。
【０１０２】
なお、上記一般式（Ｇ２）から一般式（Ｇ４）において、ＬはＲ１からＲ１１のいずれか一又は複数と、直接又は置換もしくは無置換の炭素、置換もしくは無置換のケイ素、酸素、硫黄及び窒素から選ばれる一を介した架橋により結合を有していても良い。
【０１０３】
また、上記一般式（Ｇ２）から一般式（Ｇ４）で表される有機金属錯体において、Ｌはシクロメタル化による金属−炭素結合を形成しうる芳香族複素環２座配位子又はモノアニオン性キレート配位子を表す。なお、Ｌは下記一般式（Ｌ１）から一般式（Ｌ１２）のいずれかで表される配位子であることが好ましい。なお、一般式（Ｌ１）から一般式（Ｌ６）で表される配位子は、モノアニオン性キレート配位子であり、一般式（Ｌ７）から一般式（Ｌ１２）で表される配位子は、シクロメタル化による金属−炭素結合を形成しうる芳香族複素環２座配位子である。
【０１０４】
【化２６】
2017119866.tif 000027
【０１０５】
【化２７】
2017119866.tif 000028
【０１０６】
ただし、一般式（Ｌ１）から（Ｌ１２）において、Ｒ２９からＲ３２、Ｒ７１からＲ１０２は、それぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、及び置換又は無置換の炭素数１から６のアルキルチオ基から選ばれるいずれか一を表す。また、Ａｒは置換又は無置換の炭素数６から１０のアリール基を表し、具体的には、置換又は無置換の炭素数６から１０のフェニル基、あるいは置換又は無置換の炭素数６から１０のナフチル基が挙げられる。また、Ａ１からＡ３は、それぞれ独立に、窒素、水素と結合するｓｐ２混成炭素、または置換基Ｒと結合するｓｐ２炭素を表し、Ａ４からＡ１１は、それぞれ独立に、窒素、または置換基Ｒと結合するｓｐ２炭素を表し、前記置換基Ｒは炭素数１から６のアルキル基、ハロゲン基、炭素数１から６のハロアルキル基、またはフェニル基を表す。また、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、一般式（Ｌ８）においてＸ１、Ｙ１及びＺ１はそのうち２又は３が炭素原子であり、当該炭素原子は置換基を有していても有していなくても良い。また、一般式（Ｌ９）におけるＸ２及びＺ２、一般式（Ｌ１０）におけるＹ３及びＺ３、一般式（Ｌ１１）におけるＸ４及びＹ４の各組み合わせにおいては、一方が窒素原子であった場合、他方は炭素原子である。Ｘ１、Ｙ１、Ｚ１、Ｘ２、Ｚ２、Ｙ３、Ｚ３、Ｘ４及びＹ４は、それ自体が炭素原子であった場合、置換基を有していても有していなくても良い。
【０１０７】
上記一般式（Ｇ３）で表される構成を有する有機金属錯体において、配位子Ｌは五員複素芳香環骨格に置換基Ａｒが結合した、シクロメタル化による金属−炭素結合を形成しうる芳香族複素環２座配位子であることが発光スペクトルのピーク波長が短波長の良好な緑色から青色のりん光を呈するため好ましい。
【０１０８】
このような構成を有する有機金属錯体は、下記一般式（Ｇ５）で表すことができる。
【０１０９】
【化２８】
2017119866.tif 000029
【０１１０】
また、一般式（Ｇ５）において、Ａｒは置換又は無置換のフェニル基であることが好ましい。このような構成を有する有機金属錯体は、下記一般式（Ｇ５１）で表すことができる。
【０１１１】
【化２９】
2017119866.tif 000030
【０１１２】
また、一般式（Ｇ５１）において、Ｒ１１とＲ２８は単結合または、炭素原子、ケイ素原子、酸素原子、硫黄原子及び窒素原子のいずれか一を介した架橋により結合していても良い。このような構成を有する有機金属錯体は、下記一般式（Ｇ５３）で表すことができる。
【０１１３】
【化３０】
2017119866.tif 000031
【０１１４】
また、上記一般式（Ｇ５）、（Ｇ５１）及び（Ｇ５３）において、Ａは上述の通り、五員複素芳香環骨格であることが好ましい。五員複素芳香環骨格としては、下記一般式（ｐ１）から（ｐ４）で表される骨格などを用いることができる。
【０１１５】
【化３１】
2017119866.tif 000032
【０１１６】
上記一般式（ｐ１）から（ｐ４）中、Ｒ２９からＲ３１は、それぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、及び置換又は無置換の炭素数１から６のアルキルチオ基から選ばれるいずれか一を表す。また、Ｘ１、Ｙ１、Ｚ１、Ｘ２、Ｚ２、Ｙ３、Ｚ３、Ｘ４及びＹ４はそれぞれ独立に窒素原子又は炭素原子を表す。なお、一般式（ｐ１）におけるＸ１、Ｙ１及びＺ１はそのうち２又は３が炭素原子であり、当該炭素原子は置換基を有していても有していなくても良い。また、一般式（ｐ２）におけるＸ２及びＺ２、一般式（ｐ３）におけるＹ３及びＺ３、一般式（ｐ４）におけるＸ４及びＹ４の各組合せにおいては、一方が窒素原子であった場合、他方は炭素原子である。Ｘ１、Ｙ１、Ｚ１、Ｘ２、Ｚ２、Ｙ３、Ｚ３、Ｘ４及びＹ４は、それ自体が炭素原子であった場合、置換基を有していても有していなくても良い。
【０１１７】
なお、上記一般式（Ｇ５１）及び（Ｇ５３）において、Ａで表される五員複素芳香環骨格は、上記一般式（ｐ１）で表され、且つ、Ｘ１、Ｙ１及びＺ１が共に炭素である構成が好ましい。すなわち、本発明の好ましい一態様は、下記一般式（Ｇ５２）、（Ｇ５４）で表される有機金属錯体である。
【０１１８】
【化３２】
2017119866.tif 000033
【０１１９】
【化３３】
2017119866.tif 000034
【０１２０】
また、上記一般式（Ｇ５３）、（Ｇ５４）において、Ｑは単結合、炭素原子、ケイ素原子、酸素原子、硫黄原子及び窒素原子のいずれか一を表す。なお、Ｑが炭素原子又はケイ素原子である場合は置換基を有していても良い。当該置換基としては、置換又は無置換の炭素数１から６のアルキル基、置換又は無置換のアリール基、置換又は無置換のヘテロアリール基などを用いることができる。なお、Ｑは酸素原子であることが好ましく、本発明の一態様は、下記一般式（Ｇ５５）で表される有機金属錯体がより好ましい形態である。
【０１２１】
【化３４】
2017119866.tif 000035
【０１２２】
なお、上記一般式（Ｇ０）から（Ｇ５）及び（Ｇ５１）から（Ｇ５５）において、Ｒ１からＲ１１、Ｒ２５からＲ２８及びＲ３３からＲ３５はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。
【０１２３】
また、上述の一般式で表される有機金属錯体は、Ｒ３３からＲ３５が水素であることが化学的な安定性および電気的な安定性に優れる為好ましく、また、Ｒ２５からＲ２７が水素であると、化学的な安定性および電気的な安定性に優れるため好ましい。また、Ｒ１からＲ４及びＲ６からＲ１０が水素である構成は、化学的な安定性および電気的な安定性に優れるため好ましい構成である。
【０１２４】
なお、炭素数１から６のアルキル基としては、メチル基、エチル基、プロピル基、イソプロピル基、ｎ−ブチル基、ｓｅｃ−ブチル基、イソブチル基、ｔｅｒｔ−ブチル基、ｎ−ペンチル基、１−メチルブチル基、２−メチルブチル基、３−メチルブチル基、１−エチルプロピル基、１，１−ジメチルプロピル基、１，２−ジメチルプロピル基、２，２−ジメチルプロピル基、分岐を有するまたは有さないヘキシル基等があげられる。また、ハロゲン基としては、フルオロ基、クロロ基、ブロモ基及びヨード基等が挙げられる。炭素数１から６のアルコキシ基としては、メトキシ基、エトキシ基、プロポキシ基、イソプロポキシ基、ブトキシ基、イソブトキシ基、ｔｅｒｔ−ブトキシ基、ペンチルオキシ基およびヘキシルオキシ基などの直鎖状または分岐鎖状アルキルオキシ基や、ビニルオキシ基、プロペニルオキシ基、ブテニルオキシ基、ペンテニルオキシ基、ヘキセニルオキシ基等のアルケニルオキシ基等が挙げられる。炭素数１から６のハロアルキル基としては、トリフルオロメチル基、２，２−ジフルオロエチル基等が挙げられる。炭素数１から６のアルキルチオ基としては、メチルチオ基、エチルチオ基等を挙げることができる。
【０１２５】
なお、本明細書中において「置換又は無置換の炭素数１から６のアルキル基」と記載した場合や、炭素数１から６のアルキル基に対し「置換基を有していても良い」との記載がある場合、当該アルキル基に置換する置換基としてはハロゲン基及び炭素数１から６のアルコキシ基が相当する。また、元素やアルキル基以外の基に対して「置換又は無置換の」との記載がある場合や、元素やアルキル基以外の基に「置換基を有していても良い」旨の記載がある場合、当該元素やアルキル基以外の基に置換する置換基としては、炭素数１から６のアルキル基、ハロゲン基及び炭素数１から６のアルコキシ基等を用いることができる。
【０１２６】
したがって、置換又は無置換のフェニル基の具体例としては、フェニル基、２−メチルフェニル基、２，５−ジメチルフェニル基、２，６−ジメチルフェニル基、２，６−ジエチルフェニル基、２，６−ジイソプロピルフェニル基、２，６−ジイソブチルフェニル基、２，６−ジシクロプロピルフェニル基、２，４，６−トリメチルフェニル基、４−フルオロフェニル基、２，６−ジフルオロフェニル基、４−トリフルオロメチルフェニル基、４−シアノフェニル基、４−メトキシフェニル基、３，４−ジメトキシフェニル基、３，４−メチレンジオキシフェニル基、４−トリフルオロメトキシフェニル基、４−ジメチルアミノフェニル基等が挙げられる。
【０１２７】
当該構成を有する有機金属錯体は新規有機金属錯体である。また、キャリアの輸送性が高い有機金属錯体である。また、ＨＯＭＯ準位及び／又はＬＵＭＯ準位が深いことから、電荷の注入性も良好な有機金属錯体である。また、三重項励起準位も高い為、緑から青色のりん光を呈することが可能な有機金属錯体である。また、当該有機金属錯体は、ＨＯＭＯ準位及び／又はＬＵＭＯ準位が深く、且つ三重項励起準位も高いため、キャリア輸送性が良好であり且つ青色りん光を呈する有機金属錯体である。また、発光スペクトルのピークが短波長であるため、深い青色のりん光を呈することが可能な有機金属錯体である。
【０１２８】
以上のような構成を有する本発明の一態様の有機金属錯体の具体例の一部を以下に示す。
【０１２９】
【化３５】
2017119866.tif 000036
【０１３０】
【化３６】
2017119866.tif 000037
【０１３１】
【化３７】
2017119866.tif 000038
【０１３２】
【化３８】
2017119866.tif 000039
【０１３３】
【化３９】
2017119866.tif 000040
【０１３４】
【化４０】
2017119866.tif 000041
【０１３５】
上述したような、本発明の一態様の有機金属錯体の合成方法を、下記一般式（Ｇ０−５３）で表される配位子を含む有機金属錯体（Ｇ５３）の合成方法を例として以下に示す。
【０１３６】
≪一般式（Ｇ０−５３）で表されるベンゾイミダゾ［１，２−ａ］ベンゾイミダゾール誘導体の合成方法≫
一般式（Ｇ０−５３）で表されるベンゾイミダゾ［１，２−ａ］ベンゾイミダゾール誘導体の構造を以下に示す。
【０１３７】
【化４１】
2017119866.tif 000042
【０１３８】
一般式（Ｇ０−５３）において、Ｒ１からＲ１０及びＲ２５からＲ２７はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ａは五員複素芳香環骨格を表し、当該骨格中に２又は３の窒素原子を含む。また、Ｑは単結合、炭素原子、ケイ素原子、酸素原子、硫黄原子及び窒素原子のいずれか一を表す。なお、Ｑが炭素原子又はケイ素原子である場合は置換基を有していても良い。
【０１３９】
一般式（Ｇ０−５３）で表されるベンゾイミダゾ［１，２−ａ］ベンゾイミダゾール誘導体は、下記合成スキーム（ａ）に示すように、ハロゲン化物（Ａ１）と五員複素芳香環骨格を有し、ヒドロキシル基、アミノ基、メルカプト基、シリル基、ボロン酸またはボロン酸エステルで置換されたベンゼン誘導体（Ａ２）とを反応させることにより得られる。
【０１４０】
【化４２】
2017119866.tif 000043
【０１４１】
なお、上記合成スキーム（ａ）において、Ｑが酸素、もしくは硫黄である場合、Ｒは水素でありｎは１を表す。また、Ｑが窒素、もしくはケイ素である場合、Ｒは水素または置換基であり、ｎは２を表す。当該置換基としては、置換又は無置換の炭素数１から６のアルキル基、置換又は無置換のアリール基、置換又は無置換のヘテロアリール基などを用いることができる。置換又は無置換の炭素数１から６のアルキル基としては、メチル基、エチル基、プロピル基、置換又は無置換のアリール基としては、フェニル基、ナフチル基、ビフェニル基、置換又は無置換のヘテロアリール基としては、ピリジル基、チエニル基などが挙げられる。また、Ｑが炭素、もしくは単結合である場合、Ｒはボロン酸またはボロン酸エステルまたは環状トリオールボレート塩であり、ｎは１を表す。また、式中Ｘはハロゲンを表す。
【０１４２】
なお、上記合成スキーム（ａ）において、ハロゲン化物（Ａ１）は下記合成スキーム（ｂ）に示すように合成することができる。すなわち、アミノフェニル基を有するベンゾイミダゾールー２−オン誘導体（Ｂ１）を塩化ホスホリル中で加熱することにより得られる。また、塩化ホスホリルの代わりにポリリン酸を用いても良く、ハロゲンで置換されたカルボジイミド誘導体（Ｂ２）とアミノピリジン誘導体（Ｂ３）を反応させても良い。
【０１４３】
【化４３】
2017119866.tif 000044
【０１４４】
上記合成スキーム（ｂ）において、ＸおよびＸ５，Ｘ６はハロゲン元素を示し、ヨウ素もしくは臭素が好ましく、Ｘが塩素の場合は、Ｘ５，Ｘ６は臭素又はヨウ素が望ましく、Ｘが臭素の場合は、Ｘ５，Ｘ６はヨウ素が好ましい。
【０１４５】
≪一般式（Ｇ５３）で表される本発明の一態様の有機金属錯体の合成方法≫
次に、下記合成スキーム（ｃ）に示すように上記一般式（Ｇ０−５３）で表されるベンゾイミダゾ［１，２−ａ］ベンゾイミダゾール誘導体と、ハロゲンを含む白金の金属化合物（テトラクロロ白金酸カリウム等）とを酢酸、または酢酸を含む溶媒を用いて、不活性ガス雰囲気にて加熱する。これにより、一般式（Ｇ５３）で表される本発明の一態様である有機金属錯体が得られる。
【０１４６】
【化４４】
2017119866.tif 000045
【０１４７】
上記合成スキーム（ｃ）において、Ｒ１からＲ１０及びＲ２５からＲ２７はそれぞれ独立に、水素、置換又は無置換の炭素数１から６のアルキル基、ハロゲン基、ビニル基、置換又は無置換の炭素数１から６のハロアルキル基、置換又は無置換の炭素数１から６のアルコキシ基、置換又は無置換の炭素数１から６のアルキルチオ基、及び置換又は無置換のフェニル基から選ばれるいずれか一を表す。また、Ａは五員複素芳香環骨格を表し、当該骨格中に２又は３の窒素原子を含む。また、Ｑは単結合、炭素原子、ケイ素原子、酸素原子、硫黄原子及び窒素原子のいずれか一を表す。なお、Ｑが炭素原子又はケイ素原子である場合は置換基を有していても良い。
【０１４８】
≪発光素子≫
続いて、本発明の一態様である発光素子の例について図１（Ａ）を用いて以下、詳細に説明する。
【０１４９】
本実施の形態における発光素子は、第１の電極１０１と、第２の電極１０２とからなる一対の電極と、第１の電極１０１と第２の電極１０２との間に設けられたＥＬ層１０３とから構成されている。なお、第１の電極１０１は陽極として機能し、第２の電極１０２は陰極として機能するものとして、以下説明をする。
【０１５０】
第１の電極１０１を陽極として機能させるためには、仕事関数の大きい（具体的には４．０ｅＶ以上）金属、合金、導電性化合物、およびこれらの混合物などを用いて形成することが好ましい。具体的には、例えば、酸化インジウム−酸化スズ（ＩＴＯ：Ｉｎｄｉｕｍ  Ｔｉｎ  Ｏｘｉｄｅ）、ケイ素若しくは酸化ケイ素を含有した酸化インジウム−酸化スズ、酸化インジウム−酸化亜鉛、酸化タングステン及び酸化亜鉛を含有した酸化インジウム（ＩＷＺＯ）等が挙げられる。これらの導電性金属酸化物膜は、通常スパッタリング法により成膜されるが、ゾル−ゲル法などを応用して作製しても構わない。作製方法の例としては、酸化インジウム−酸化亜鉛は、酸化インジウムに対し１ｗｔ％以上２０ｗｔ％以下の酸化亜鉛を加えたターゲットを用いてスパッタリング法により形成する方法などがある。また、酸化タングステン及び酸化亜鉛を含有した酸化インジウム（ＩＷＺＯ）は、酸化インジウムに対し酸化タングステンを０．５ｗｔ％以上５ｗｔ％以下、酸化亜鉛を０．１ｗｔ％以上１ｗｔ％以下含有したターゲットを用いてスパッタリング法により形成することもできる。この他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、または金属材料の窒化物（例えば、窒化チタン）等が挙げられる。グラフェンも用いることができる。なお、後述する複合材料を、ＥＬ層１０３における第１の電極１０１と接する層に用いることで、仕事関数に関わらず、電極材料を選択することができるようになる。
【０１５１】
ＥＬ層１０３は積層構造を有し、当該積層構造のいずれかの層に上述のいずれかで表される本発明の一態様の有機金属錯体が含まれることが好ましい。
【０１５２】
ＥＬ層１０３の積層構造は、正孔注入層、正孔輸送層、発光層、電子輸送層、電子注入層、キャリアブロック層、中間層等を適宜組み合わせて構成することができる。ここでは、ＥＬ層１０３は、第１の電極１０１の上に正孔注入層１１１、正孔輸送層１１２、発光層１１３、電子輸送層１１４、電子注入層１１５の順で積層構造を有する構成について説明する。各層を構成する材料の例について以下に具体的に示す。
【０１５３】
正孔注入層１１１は、正孔注入性の高い物質を含む層である。モリブデン酸化物やバナジウム酸化物、ルテニウム酸化物、タングステン酸化物、マンガン酸化物等を用いることができる。この他、フタロシアニン（略称：Ｈ２Ｐｃ）や銅フタロシアニン（ＣｕＰＣ）等のフタロシアニン系の化合物、４，４’−ビス［Ｎ−（４−ジフェニルアミノフェニル）−Ｎ−フェニルアミノ］ビフェニル（略称：ＤＰＡＢ）、Ｎ，Ｎ’−ビス｛４−［ビス（３−メチルフェニル）アミノ］フェニル｝−Ｎ，Ｎ’−ジフェニル−（１，１’−ビフェニル）−４，４’−ジアミン（略称：ＤＮＴＰＤ）等の芳香族アミン化合物、或いはポリ（３，４−エチレンジオキシチオフェン）／ポリ（スチレンスルホン酸）（ＰＥＤＯＴ／ＰＳＳ）等の高分子等によっても正孔注入層１１１を形成することができる。
【０１５４】
また、正孔注入層１１１として、正孔輸送性の物質にアクセプター性物質を含有させた複合材料を用いることができる。なお、正孔輸送性の物質にアクセプター性物質を含有させたものを用いることにより、電極の仕事関数によらず電極を形成する材料を選ぶことができる。つまり、第１の電極１０１として仕事関数の大きい材料だけでなく、仕事関数の小さい材料も用いることができるようになる。アクセプター性物質としては、７，７，８，８−テトラシアノ−２，３，５，６−テトラフルオロキノジメタン（略称：Ｆ４−ＴＣＮＱ）、クロラニル等を挙げることができる。また、遷移金属酸化物を挙げることができる。また元素周期表における第４族から第８族に属する金属の酸化物を挙げることができる。具体的には、酸化バナジウム、酸化ニオブ、酸化タンタル、酸化クロム、酸化モリブデン、酸化タングステン、酸化マンガン、酸化レニウムは電子受容性が高いため好ましい。中でも特に、酸化モリブデンは大気中でも安定であり、吸湿性が低く、扱いやすいため好ましい。
【０１５５】
複合材料に用いる正孔輸送性の物質としては、芳香族アミン化合物、カルバゾール誘導体、芳香族炭化水素、高分子化合物（オリゴマー、デンドリマー、ポリマー等）など、種々の有機化合物を用いることができる。なお、複合材料に用いる正孔輸送性の物質としては、１０−６ｃｍ２／Ｖｓ以上の正孔移動度を有する物質であることが好ましい。以下では、複合材料における正孔輸送性の物質として用いることのできる有機化合物を具体的に列挙する。
【０１５６】
複合材料に用いることのできる芳香族アミン化合物としては、Ｎ，Ｎ’−ジ（ｐ−トリル）−Ｎ，Ｎ’−ジフェニル−ｐ−フェニレンジアミン（略称：ＤＴＤＰＰＡ）、４，４’−ビス［Ｎ−（４−ジフェニルアミノフェニル）−Ｎ−フェニルアミノ］ビフェニル（略称：ＤＰＡＢ）、Ｎ，Ｎ’−ビス｛４−［ビス（３−メチルフェニル）アミノ］フェニル｝−Ｎ，Ｎ’−ジフェニル−（１，１’−ビフェニル）−４，４’−ジアミン（略称：ＤＮＴＰＤ）、１，３，５−トリス［Ｎ−（４−ジフェニルアミノフェニル）−Ｎ−フェニルアミノ］ベンゼン（略称：ＤＰＡ３Ｂ）等を挙げることができる。カルバゾール誘導体としては、具体的には、３−［Ｎ−（９−フェニルカルバゾール−３−イル）−Ｎ−フェニルアミノ］−９−フェニルカルバゾール（略称：ＰＣｚＰＣＡ１）、３，６−ビス［Ｎ−（９−フェニルカルバゾール−３−イル）−Ｎ−フェニルアミノ］−９−フェニルカルバゾール（略称：ＰＣｚＰＣＡ２）、３−［Ｎ−（１−ナフチル）−Ｎ−（９−フェニルカルバゾール−３−イル）アミノ］−９−フェニルカルバゾール（略称：ＰＣｚＰＣＮ１）、４，４’−ジ（Ｎ−カルバゾリル）ビフェニル（略称：ＣＢＰ）、１，３，５−トリス［４−（Ｎ−カルバゾリル）フェニル］ベンゼン（略称：ＴＣＰＢ）、９−［４−（１０−フェニル−９−アントリル）フェニル］−９Ｈ−カルバゾール（略称：ＣｚＰＡ）、１，４−ビス［４−（Ｎ−カルバゾリル）フェニル］−２，３，５，６−テトラフェニルベンゼン等を用いることができる。芳香族炭化水素としては、例えば、２−ｔｅｒｔ−ブチル−９，１０−ジ（２−ナフチル）アントラセン（略称：ｔ−ＢｕＤＮＡ）、２−ｔｅｒｔ−ブチル−９，１０−ジ（１−ナフチル）アントラセン、９，１０−ビス（３，５−ジフェニルフェニル）アントラセン（略称：ＤＰＰＡ）、２−ｔｅｒｔ−ブチル−９，１０−ビス（４−フェニルフェニル）アントラセン（略称：ｔ−ＢｕＤＢＡ）、９，１０−ジ（２−ナフチル）アントラセン（略称：ＤＮＡ）、９，１０−ジフェニルアントラセン（略称：ＤＰＡｎｔｈ）、２−ｔｅｒｔ−ブチルアントラセン（略称：ｔ−ＢｕＡｎｔｈ）、９，１０−ビス（４−メチル−１−ナフチル）アントラセン（略称：ＤＭＮＡ）、２−ｔｅｒｔ−ブチル−９，１０−ビス［２−（１−ナフチル）フェニル］アントラセン、９，１０−ビス［２−（１−ナフチル）フェニル］アントラセン、２，３，６，７−テトラメチル−９，１０−ジ（１−ナフチル）アントラセン、２，３，６，７−テトラメチル−９，１０−ジ（２−ナフチル）アントラセン、９，９’−ビアントリル、１０，１０’−ジフェニル−９，９’−ビアントリル、１０，１０’−ビス（２−フェニルフェニル）−９，９’−ビアントリル、１０，１０’−ビス［（２，３，４，５，６−ペンタフェニル）フェニル］−９，９’−ビアントリル、アントラセン、テトラセン、ルブレン、ペリレン、２，５，８，１１−テトラ（ｔｅｒｔ−ブチル）ペリレン等が挙げられる。また、この他、ペンタセン、コロネン等も用いることができる。ビニル骨格を有していてもよい。ビニル骨格を有している芳香族炭化水素としては、例えば、４，４’−ビス（２，２−ジフェニルビニル）ビフェニル（略称：ＤＰＶＢｉ）、９，１０−ビス［４−（２，２−ジフェニルビニル）フェニル］アントラセン（略称：ＤＰＶＰＡ）等が挙げられる。
【０１５７】
また、ポリ（Ｎ−ビニルカルバゾール）（略称：ＰＶＫ）やポリ（４−ビニルトリフェニルアミン）（略称：ＰＶＴＰＡ）、ポリ［Ｎ−（４−｛Ｎ’−［４−（４−ジフェニルアミノ）フェニル］フェニル−Ｎ’−フェニルアミノ｝フェニル）メタクリルアミド］（略称：ＰＴＰＤＭＡ）、ポリ［Ｎ，Ｎ’−ビス（４−ブチルフェニル）−Ｎ，Ｎ’−ビス（フェニル）ベンジジン］（略称：Ｐｏｌｙ−ＴＰＤ）等の高分子化合物を用いることもできる。
【０１５８】
正孔注入層を形成することによって、正孔の注入性が良好となり、駆動電圧の小さい発光素子を得ることが可能となる。
【０１５９】
なお、正孔注入層は、上述したアクセプター材料を単独または他の材料と混合して形成しても良い。この場合、アクセプター材料が正孔輸送層から電子を引き抜き、正孔輸送層に正孔注入することができる。アクセプター材料は引き抜いた電子を陽極へ輸送する。
【０１６０】
正孔輸送層１１２は、正孔輸送性の物質を含む層である。正孔輸送性の物質としては、例えば、４，４’−ビス［Ｎ−（１−ナフチル）−Ｎ−フェニルアミノ］ビフェニル（略称：ＮＰＢ）やＮ，Ｎ’−ビス（３−メチルフェニル）−Ｎ，Ｎ’−ジフェニル−［１，１’−ビフェニル］−４，４’−ジアミン（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）、４−フェニル−４’−（９−フェニルフルオレン−９−イル）トリフェニルアミン（略称：ＢＰＡＦＬＰ）などの芳香族アミン化合物等を用いることができる。ここに述べた物質は、正孔輸送性が高く、主に１０−６ｃｍ２／Ｖｓ以上の正孔移動度を有する物質である。また、上述の複合材料における正孔輸送性の物質として挙げた有機化合物も正孔輸送層１１２に用いることができる。また、ポリ（Ｎ−ビニルカルバゾール）（略称：ＰＶＫ）やポリ（４−ビニルトリフェニルアミン）（略称：ＰＶＴＰＡ）等の高分子化合物を用いることもできる。なお、正孔輸送性の物質を含む層は、単層のものだけでなく、上記物質からなる層が二層以上積層したものとしてもよい。
【０１６１】
発光層１１３は、蛍光発光を呈する層であっても、りん光発光を呈する層や熱活性化遅延蛍光（ＴＡＤＦ）を呈する層であってもいずれでも構わない。また、単層であっても、異なる発光物質が含まれる複数の層からなっていても良い。複数の層からなる発光層を形成する場合、りん光発光物質が含まれる層と蛍光発光物質が含まれる層が積層されていても良い。この際、りん光発光物質が含まれる層では、後述の励起錯体を利用することが好ましい。
【０１６２】
蛍光発光物質としては、例えば以下のような物質を用いることができる。また、これ以外の蛍光発光物質も用いることができる。５，６−ビス［４−（１０−フェニル−９−アントリル）フェニル］−２，２’−ビピリジン（略称：ＰＡＰ２ＢＰｙ）、５，６−ビス［４’−（１０−フェニル−９−アントリル）ビフェニル−４−イル］−２，２’−ビピリジン（略称：ＰＡＰＰ２ＢＰｙ）、Ｎ，Ｎ’−ジフェニル−Ｎ，Ｎ’−ビス［４−（９−フェニル−９Ｈ−フルオレン−９−イル）フェニル］ピレン−１，６−ジアミン（略称：１，６ＦＬＰＡＰｒｎ）、Ｎ，Ｎ’−ビス（３−メチルフェニル）−Ｎ，Ｎ’−ビス［３−（９−フェニル−９Ｈ−フルオレン−９−イル）フェニル］−ピレン−１，６−ジアミン（略称：１，６ｍＭｅｍＦＬＰＡＰｒｎ）、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、４−（９Ｈ−カルバゾール−９−イル）−４’−（１０−フェニル−９−アントリル）トリフェニルアミン（略称：ＹＧＡＰＡ）、４−（９Ｈ−カルバゾール−９−イル）−４’−（９，１０−ジフェニル−２−アントリル）トリフェニルアミン（略称：２ＹＧＡＰＰＡ）、Ｎ，９−ジフェニル−Ｎ−［４−（１０−フェニル−９−アントリル）フェニル］−９Ｈ−カルバゾール−３−アミン（略称：ＰＣＡＰＡ）、ペリレン、２，５，８，１１−テトラ−ｔｅｒｔ−ブチルペリレン（略称：ＴＢＰ）、４−（１０−フェニル−９−アントリル）−４’−（９−フェニル−９Ｈ−カルバゾール−３−イル）トリフェニルアミン（略称：ＰＣＢＡＰＡ）、Ｎ，Ｎ’’−（２−ｔｅｒｔ−ブチルアントラセン−９，１０−ジイルジ−４，１−フェニレン）ビス［Ｎ，Ｎ’，Ｎ’−トリフェニル−１，４−フェニレンジアミン］（略称：ＤＰＡＢＰＡ）、Ｎ，９−ジフェニル−Ｎ−［４−（９，１０−ジフェニル−２−アントリル）フェニル］−９Ｈ−カルバゾール−３−アミン（略称：２ＰＣＡＰＰＡ）、Ｎ−［４−（９，１０−ジフェニル−２−アントリル）フェニル］−Ｎ，Ｎ’，Ｎ’−トリフェニル−１，４−フェニレンジアミン（略称：２ＤＰＡＰＰＡ）、Ｎ，Ｎ，Ｎ’，Ｎ’，Ｎ’’，Ｎ’’，Ｎ’’’，Ｎ’’’−オクタフェニルジベンゾ［ｇ，ｐ］クリセン−２，７，１０，１５−テトラアミン（略称：ＤＢＣ１）、クマリン３０、Ｎ−（９，１０−ジフェニル−２−アントリル）−Ｎ，９−ジフェニル−９Ｈ−カルバゾール−３−アミン（略称：２ＰＣＡＰＡ）、Ｎ−［９，１０−ビス（１，１’−ビフェニル−２−イル）−２−アントリル］−Ｎ，９−ジフェニル−９Ｈ−カルバゾール−３−アミン（略称：２ＰＣＡＢＰｈＡ）、Ｎ−（９，１０−ジフェニル−２−アントリル）−Ｎ，Ｎ’，Ｎ’−トリフェニル−１，４−フェニレンジアミン（略称：２ＤＰＡＰＡ）、Ｎ−［９，１０−ビス（１，１’−ビフェニル−２−イル）−２−アントリル］−Ｎ，Ｎ’，Ｎ’−トリフェニル−１，４−フェニレンジアミン（略称：２ＤＰＡＢＰｈＡ）、９，１０−ビス（１，１’−ビフェニル−２−イル）−Ｎ−［４−（９Ｈ−カルバゾール−９−イル）フェニル］−Ｎ−フェニルアントラセン−２−アミン（略称：２ＹＧＡＢＰｈＡ）、Ｎ，Ｎ，９−トリフェニルアントラセン−９−アミン（略称：ＤＰｈＡＰｈＡ）クマリン５４５Ｔ、Ｎ，Ｎ’−ジフェニルキナクリドン、（略称：ＤＰＱｄ）、ルブレン、５，１２−ビス（１，１’−ビフェニル−４−イル）−６，１１−ジフェニルテトラセン（略称：ＢＰＴ）、２−（２−｛２−［４−（ジメチルアミノ）フェニル］エテニル｝−６−メチル−４Ｈ−ピラン−４−イリデン）プロパンジニトリル（略称：ＤＣＭ１）、２−｛２−メチル−６−［２−（２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＭ２）、Ｎ，Ｎ，Ｎ’，Ｎ’−テトラキス（４−メチルフェニル）テトラセン−５，１１−ジアミン（略称：ｐ−ｍＰｈＴＤ）、７，１４−ジフェニル−Ｎ，Ｎ，Ｎ’，Ｎ’−テトラキス（４−メチルフェニル）アセナフト［１，２−ａ］フルオランテン−３，１０−ジアミン（略称：ｐ−ｍＰｈＡＦＤ）、２−｛２−イソプロピル−６−［２−（１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＪＴＩ）、２−｛２−ｔｅｒｔ−ブチル−６−［２−（１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＪＴＢ）、２−（２，６−ビス｛２−［４−（ジメチルアミノ）フェニル］エテニル｝−４Ｈ−ピラン−４−イリデン）プロパンジニトリル（略称：ＢｉｓＤＣＭ）、２−｛２，６−ビス［２−（８−メトキシ−１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＢｉｓＤＣＪＴＭ）などが挙げられる。特に、１，６ＦＬＰＡＰｒｎや１，６ｍＭｅｍＦＬＰＡＰｒｎのようなピレンジアミン化合物に代表される縮合芳香族ジアミン化合物は、ホールトラップ性が高く、発光効率や信頼性に優れているため好ましい。
【０１６３】
発光層１１３において、りん光発光物質として用いることが可能な材料としては、例えば以下のようなものが挙げられる。トリス｛２−［５−（２−メチルフェニル）−４−（２，６−ジメチルフェニル）−４Ｈ−１，２，４−トリアゾール−３−イル−κＮ２］フェニル−κＣ｝イリジウム（ＩＩＩ）（略称：［Ｉｒ（ｍｐｐｔｚ−ｄｍｐ）３］）、トリス（５−メチル−３，４−ジフェニル−４Ｈ−１，２，４−トリアゾラト）イリジウム（ＩＩＩ）（略称：［Ｉｒ（Ｍｐｔｚ）３］）、トリス［４−（３−ビフェニル）−５−イソプロピル−３−フェニル−４Ｈ−１，２，４−トリアゾラト］イリジウム（ＩＩＩ）（略称：［Ｉｒ（ｉＰｒｐｔｚ−３ｂ）３］）のような４Ｈ−トリアゾール骨格を有する有機金属イリジウム錯体や、トリス［３−メチル−１−（２−メチルフェニル）−５−フェニル−１Ｈ−１，２，４−トリアゾラト］イリジウム（ＩＩＩ）（略称：［Ｉｒ（Ｍｐｔｚ１−ｍｐ）３］）、トリス（１−メチル−５−フェニル−３−プロピル−１Ｈ−１，２，４−トリアゾラト）イリジウム（ＩＩＩ）（略称：［Ｉｒ（Ｐｒｐｔｚ１−Ｍｅ）３］）のような１Ｈ−トリアゾール骨格を有する有機金属イリジウム錯体や、ｆａｃ−トリス［（１−２，６−ジイソプロピルフェニル）−２−フェニル−１Ｈ−イミダゾール］イリジウム（ＩＩＩ）（略称：［Ｉｒ（ｉＰｒｐｍｉ）３］）、トリス［３−（２，６−ジメチルフェニル）−７−メチルイミダゾ［１，２−ｆ］フェナントリジナト］イリジウム（ＩＩＩ）（略称：［Ｉｒ（ｄｍｐｉｍｐｔ−Ｍｅ）３］）のようなイミダゾール骨格を有する有機金属イリジウム錯体や、ビス［２−（４’，６’−ジフルオロフェニル）ピリジナト−Ｎ，Ｃ２’］イリジウム（ＩＩＩ）テトラキス（１−ピラゾリル）ボラート（略称：ＦＩｒ６）、ビス［２−（４’，６’−ジフルオロフェニル）ピリジナト−Ｎ，Ｃ２’］イリジウム（ＩＩＩ）ピコリナート（略称：ＦＩｒｐｉｃ）、ビス｛２−［３’，５’−ビス（トリフルオロメチル）フェニル］ピリジナト−Ｎ，Ｃ２’｝イリジウム（ＩＩＩ）ピコリナート（略称：［Ｉｒ（ＣＦ３ｐｐｙ）２（ｐｉｃ）］）、ビス［２−（４’，６’−ジフルオロフェニル）ピリジナト−Ｎ，Ｃ２’］イリジウム（ＩＩＩ）アセチルアセトナート（略称：ＦＩｒａｃａｃ）のような電子吸引基を有するフェニルピリジン誘導体を配位子とする有機金属イリジウム錯体が挙げられる。これらは青色のりん光発光を示す化合物であり、４４０ｎｍから５２０ｎｍに発光のピークを有する化合物である。なお、本発明の一態様の有機金属錯体である｛３−［６−（１Ｈ−ピラゾール−１−イル−κＮ２）−１，２−フェニレン−κＣ１］オキシ［７−メチル−５−（２−ピリジニル−κＮ）−５Ｈ−ベンゾイミダゾ［１，２−ａ］ベンゾイミダゾール−３，４−ジイル−κＣ４］｝白金（ＩＩ）（略称：［Ｐｔ（ｐｐｚＯｂｉｂｉｐｙ）］）も、緑から青色のりん光を呈するりん光発光物質である。当該有機金属錯体を発光材料として用いることで、駆動電圧の小さい、寿命の良好な発光素子を得ることができる。
【０１６４】
また、トリス（４−メチル−６−フェニルピリミジナト）イリジウム（ＩＩＩ）（略称：［Ｉｒ（ｍｐｐｍ）３］）、トリス（４−ｔ−ブチル−６−フェニルピリミジナト）イリジウム（ＩＩＩ）（略称：［Ｉｒ（ｔＢｕｐｐｍ）３］）、（アセチルアセトナト）ビス（６−メチル−４−フェニルピリミジナト）イリジウム（ＩＩＩ）（略称：［Ｉｒ（ｍｐｐｍ）２（ａｃａｃ）］）、（アセチルアセトナト）ビス（６−ｔｅｒｔ−ブチル−４−フェニルピリミジナト）イリジウム（ＩＩＩ）（略称：［Ｉｒ（ｔＢｕｐｐｍ）２（ａｃａｃ）］）、（アセチルアセトナト）ビス［６−（２−ノルボルニル）−４−フェニルピリミジナト］イリジウム（ＩＩＩ）（略称：［Ｉｒ（ｎｂｐｐｍ）２（ａｃａｃ）］）、（アセチルアセトナト）ビス［５−メチル−６−（２−メチルフェニル）−４−フェニルピリミジナト］イリジウム（ＩＩＩ）（略称：［Ｉｒ（ｍｐｍｐｐｍ）２（ａｃａｃ）］）、（アセチルアセトナト）ビス（４，６−ジフェニルピリミジナト）イリジウム（ＩＩＩ）（略称：［Ｉｒ（ｄｐｐｍ）２（ａｃａｃ）］）のようなピリミジン骨格を有する有機金属イリジウム錯体や、（アセチルアセトナト）ビス（３，５−ジメチル−２−フェニルピラジナト）イリジウム（ＩＩＩ）（略称：［Ｉｒ（ｍｐｐｒ−Ｍｅ）２（ａｃａｃ）］）、（アセチルアセトナト）ビス（５−イソプロピル−３−メチル−２−フェニルピラジナト）イリジウム（ＩＩＩ）（略称：［Ｉｒ（ｍｐｐｒ−ｉＰｒ）２（ａｃａｃ）］）のようなピラジン骨格を有する有機金属イリジウム錯体や、トリス（２−フェニルピリジナト−Ｎ，Ｃ２’）イリジウム（ＩＩＩ）（略称：［Ｉｒ（ｐｐｙ）３］）、ビス（２−フェニルピリジナト−Ｎ，Ｃ２’）イリジウム（ＩＩＩ）アセチルアセトナート（略称：［Ｉｒ（ｐｐｙ）２（ａｃａｃ）］）、ビス（ベンゾ［ｈ］キノリナト）イリジウム（ＩＩＩ）アセチルアセトナート（略称：［Ｉｒ（ｂｚｑ）２（ａｃａｃ）］）、トリス（ベンゾ［ｈ］キノリナト）イリジウム（ＩＩＩ）（略称：［Ｉｒ（ｂｚｑ）３］）、トリス（２−フェニルキノリナト−Ｎ，Ｃ２’）イリジウム（ＩＩＩ）（略称：［Ｉｒ（ｐｑ）３］）、ビス（２−フェニルキノリナト−Ｎ，Ｃ２’）イリジウム（ＩＩＩ）アセチルアセトナート（略称：［Ｉｒ（ｐｑ）２（ａｃａｃ）］）のようなピリジン骨格を有する有機金属イリジウム錯体の他、トリス（アセチルアセトナト）（モノフェナントロリン）テルビウム（ＩＩＩ）（略称：［Ｔｂ（ａｃａｃ）３（Ｐｈｅｎ）］）のような希土類金属錯体が挙げられる。これらは主に緑色のりん光発光を示す化合物であり、５００ｎｍから６００ｎｍに発光のピークを有する。なお、ピリミジン骨格を有する有機金属イリジウム錯体は、信頼性や発光効率にも際だって優れるため、特に好ましい。
【０１６５】
また、（ジイソブチリルメタナト）ビス［４，６−ビス（３−メチルフェニル）ピリミジナト］イリジウム（ＩＩＩ）（略称：［Ｉｒ（５ｍｄｐｐｍ）２（ｄｉｂｍ）］）、ビス［４，６−ビス（３−メチルフェニル）ピリミジナト］（ジピバロイルメタナト）イリジウム（ＩＩＩ）（略称：［Ｉｒ（５ｍｄｐｐｍ）２（ｄｐｍ）］）、ビス［４，６−ジ（ナフタレン−１−イル）ピリミジナト］（ジピバロイルメタナト）イリジウム（ＩＩＩ）（略称：［Ｉｒ（ｄ１ｎｐｍ）２（ｄｐｍ）］）のようなピリミジン骨格を有する有機金属イリジウム錯体や、（アセチルアセトナト）ビス（２，３，５−トリフェニルピラジナト）イリジウム（ＩＩＩ）（略称：［Ｉｒ（ｔｐｐｒ）２（ａｃａｃ）］）、ビス（２，３，５−トリフェニルピラジナト）（ジピバロイルメタナト）イリジウム（ＩＩＩ）（略称：［Ｉｒ（ｔｐｐｒ）２（ｄｐｍ］）］）、（アセチルアセトナト）ビス［２，３−ビス（４−フルオロフェニル）キノキサリナト］イリジウム（ＩＩＩ）（略称：［Ｉｒ（Ｆｄｐｑ）２（ａｃａｃ）］）のようなピラジン骨格を有する有機金属イリジウム錯体や、トリス（１−フェニルイソキノリナト−Ｎ，Ｃ２’）イリジウム（ＩＩＩ）（略称：［Ｉｒ（ｐｉｑ）３］）、ビス（１−フェニルイソキノリナト−Ｎ，Ｃ２’）イリジウム（ＩＩＩ）アセチルアセトナート（略称：［Ｉｒ（ｐｉｑ）２（ａｃａｃ）］）のようなピリジン骨格を有する有機金属イリジウム錯体の他、２，３，７，８，１２，１３，１７，１８−オクタエチル−２１Ｈ，２３Ｈ−ポルフィリン白金（ＩＩ）（略称：ＰｔＯＥＰ）のような白金錯体や、トリス（１，３−ジフェニル−１，３−プロパンジオナト）（モノフェナントロリン）ユーロピウム（ＩＩＩ）（略称：［Ｅｕ（ＤＢＭ）３（Ｐｈｅｎ）］）、トリス［１−（２−テノイル）−３，３，３−トリフルオロアセトナト］（モノフェナントロリン）ユーロピウム（ＩＩＩ）（略称：［Ｅｕ（ＴＴＡ）３（Ｐｈｅｎ）］）のような希土類金属錯体が挙げられる。これらは、赤色のりん光発光を示す化合物であり、６００ｎｍから７００ｎｍに発光のピークを有する。また、ピラジン骨格を有する有機金属イリジウム錯体は、色度の良い赤色発光が得られる。
【０１６６】
また、以上で述べたりん光性化合物の他、様々なりん光性発光材料を選択し、用いてもよい。
【０１６７】
なお、本発明の一態様の有機金属錯体をりん光発光物質として用いることが好ましい。本発明の一態様の有機金属錯体は、効率良く発光するため、発光効率の高い発光素子を得ることができる。また、ＨＯＭＯ準位及び／又はＬＵＭＯ準位が深いため、電荷の注入性が良好であり駆動電圧の低い発光素子を得ることが可能となる。また、緑色から青色のりん光を呈する発光素子を得ることができる。
【０１６８】
ＴＡＤＦ材料としてはフラーレン及びその誘導体、プロフラビン等のアクリジン誘導体、エオシン等を用いることができる。またマグネシウム（Ｍｇ）、亜鉛（Ｚｎ）、カドミウム（Ｃｄ）、スズ（Ｓｎ）、白金（Ｐｔ）、インジウム（Ｉｎ）、またはパラジウム（Ｐｄ）等を含む金属含有ポルフィリンを用いることができる。該金属含有ポルフィリンとしては、例えば、以下の構造式に示されるプロトポルフィリン−フッ化スズ錯体（ＳｎＦ２（Ｐｒｏｔｏ  ＩＸ））、メソポルフィリン−フッ化スズ錯体（ＳｎＦ２（Ｍｅｓｏ  ＩＸ））、ヘマトポルフィリン−フッ化スズ錯体（ＳｎＦ２（Ｈｅｍａｔｏ  ＩＸ））、コプロポルフィリンテトラメチルエステル−フッ化スズ錯体（ＳｎＦ２（Ｃｏｐｒｏ  ＩＩＩ−４Ｍｅ））、オクタエチルポルフィリン−フッ化スズ錯体（ＳｎＦ２（ＯＥＰ））、エチオポルフィリン−フッ化スズ錯体（ＳｎＦ２（Ｅｔｉｏ  Ｉ））、オクタエチルポルフィリン−塩化白金錯体（ＰｔＣｌ２ＯＥＰ）等も挙げられる。
【０１６９】
【化４５】
2017119866.tif 000046
【０１７０】
また、以下の構造式に示される２−ビフェニル−４，６−ビス（１２−フェニルインドロ［２，３−ａ］カルバゾール−１１−イル）−１，３，５−トリアジン（略称：ＰＩＣ−ＴＲＺ）や、９−（４，６−ジフェニル−１，３，５−トリアジン−２−イル）−９’−フェニル−９Ｈ，９’Ｈ−３，３’−ビカルバゾール（略称：ＰＣＣｚＴｚｎ）、９−［４−（４，６−ジフェニル−１，３，５−トリアジン−２−イル）フェニル］−９’−フェニル−９Ｈ，９’Ｈ−３，３’−ビカルバゾール（略称：ＰＣＣｚＰＴｚｎ）、２−［４−（１０Ｈ−フェノキサジン−１０−イル）フェニル］−４，６−ジフェニル−１，３，５−トリアジン（略称：ＰＸＺ−ＴＲＺ）、３−［４−（５−フェニル−５，１０−ジヒドロフェナジン−１０−イル）フェニル］−４，５−ジフェニル−１，２，４−トリアゾール（略称：ＰＰＺ−３ＴＰＴ）、３−（９，９−ジメチル−９Ｈ−アクリジン−１０−イル）−９Ｈ−キサンテン−９−オン（略称：ＡＣＲＸＴＮ）、ビス［４−（９，９−ジメチル−９，１０−ジヒドロアクリジン）フェニル］スルホン（略称：ＤＭＡＣ−ＤＰＳ）、１０−フェニル−１０Ｈ，１０’Ｈ−スピロ［アクリジン−９，９’−アントラセン］−１０’−オン（略称：ＡＣＲＳＡ）、等のπ電子過剰型複素芳香環とπ電子不足型複素芳香環の両方を有する複素環化合物も用いることができる。該複素環化合物は、π電子過剰型複素芳香環及びπ電子不足型複素芳香環を有するため、電子輸送性及び正孔輸送性が共に高く、好ましい。なお、π電子過剰型複素芳香環とπ電子不足型複素芳香環とが直接結合した物質は、π電子過剰型複素芳香環のドナー性とπ電子不足型複素芳香環のアクセプタ性が共に強くなり、Ｓ１準位とＴ１準位のエネルギー差が小さくなるため、熱活性化遅延蛍光を効率よく得られることから特に好ましい。なお、π電子不足型複素芳香環の代わりに、シアノ基のような電子吸引基が結合した芳香環を用いても良い。
【０１７１】
【化４６】
2017119866.tif 000047
【０１７２】
発光層のホスト材料としては、電子輸送性を有する材料や正孔輸送性を有する材料など様々なキャリア輸送材料を用いることができる。
【０１７３】
電子輸送性を有する材料としては、例えば、ビス（１０−ヒドロキシベンゾ［ｈ］キノリナト）ベリリウム（ＩＩ）（略称：ＢｅＢｑ２）、ビス（２−メチル−８−キノリノラト）（４−フェニルフェノラト）アルミニウム（ＩＩＩ）（略称：ＢＡｌｑ）、ビス（８−キノリノラト）亜鉛（ＩＩ）（略称：Ｚｎｑ）、ビス［２−（２−ベンゾオキサゾリル）フェノラト］亜鉛（ＩＩ）（略称：ＺｎＰＢＯ）、ビス［２−（２−ベンゾチアゾリル）フェノラト］亜鉛（ＩＩ）（略称：ＺｎＢＴＺ）などの金属錯体や、２−（４−ビフェニリル）−５−（４−ｔｅｒｔ−ブチルフェニル）−１，３，４−オキサジアゾール（略称：ＰＢＤ）、３−（４−ビフェニリル）−４−フェニル−５−（４−ｔｅｒｔ−ブチルフェニル）−１，２，４−トリアゾール（略称：ＴＡＺ）、１，３−ビス［５−（ｐ−ｔｅｒｔ−ブチルフェニル）−１，３，４−オキサジアゾール−２−イル］ベンゼン（略称：ＯＸＤ−７）、９−［４−（５−フェニル−１，３，４−オキサジアゾール−２−イル）フェニル］−９Ｈ−カルバゾール（略称：ＣＯ１１）、２，２’，２’’−（１，３，５−ベンゼントリイル）トリス（１−フェニル−１Ｈ−ベンゾイミダゾール）（略称：ＴＰＢＩ）、２−［３−（ジベンゾチオフェン−４−イル）フェニル］−１−フェニル−１Ｈ−ベンゾイミダゾール（略称：ｍＤＢＴＢＩｍ−ＩＩ）などのポリアゾール骨格を有する複素環化合物や、２−［３−（ジベンゾチオフェン−４−イル）フェニル］ジベンゾ［ｆ，ｈ］キノキサリン（略称：２ｍＤＢＴＰＤＢｑ−ＩＩ）、２−［３’−（ジベンゾチオフェン−４−イル）ビフェニル−３−イル］ジベンゾ［ｆ，ｈ］キノキサリン（略称：２ｍＤＢＴＢＰＤＢｑ−ＩＩ）、２−［３’−（９Ｈ−カルバゾール−９−イル）ビフェニル−３−イル］ジベンゾ［ｆ，ｈ］キノキサリン（略称：２ｍＣｚＢＰＤＢｑ）、４，６−ビス［３−（フェナントレン−９−イル）フェニル］ピリミジン（略称：４，６ｍＰｎＰ２Ｐｍ）、４，６−ビス〔３−（４−ジベンゾチエニル）フェニル〕ピリミジン（略称：４，６ｍＤＢＴＰ２Ｐｍ−ＩＩ）などのジアジン骨格を有する複素環化合物や、３，５−ビス［３−（９Ｈ−カルバゾール−９−イル）フェニル］ピリジン（略称：３５ＤＣｚＰＰｙ）、１，３，５−トリ［３−（３−ピリジル）−フェニル］ベンゼン（略称：ＴｍＰｙＰＢ）などのピリジン骨格を有する複素環化合物が挙げられる。上述した中でも、ジアジン骨格を有する複素環化合物やピリジン骨格を有する複素環化合物は、信頼性が良好であり好ましい。特に、ジアジン（ピリミジンやピラジン）骨格を有する複素環化合物は、電子輸送性が高く、駆動電圧低減にも寄与する。
【０１７４】
正孔輸送性を有する材料としては、４，４’−ビス［Ｎ−（１−ナフチル）−Ｎ−フェニルアミノ］ビフェニル（略称：ＮＰＢ）、Ｎ，Ｎ’−ビス（３−メチルフェニル）−Ｎ，Ｎ’−ジフェニル−［１，１’−ビフェニル］−４，４’−ジアミン（略称：ＴＰＤ）、４，４’−ビス［Ｎ−（スピロ−９，９’−ビフルオレン−２−イル）−Ｎ―フェニルアミノ］ビフェニル（略称：ＢＳＰＢ）、４−フェニル−４’−（９−フェニルフルオレン−９−イル）トリフェニルアミン（略称：ＢＰＡＦＬＰ）、４−フェニル−３’−（９−フェニルフルオレン−９−イル）トリフェニルアミン（略称：ｍＢＰＡＦＬＰ）、４−フェニル−４’−（９−フェニル−９Ｈ−カルバゾール−３−イル）トリフェニルアミン（略称：ＰＣＢＡ１ＢＰ）、４，４’−ジフェニル−４’’−（９−フェニル−９−Ｈ−カルバゾール−３−イル）トリフェニルアミン（略称：ＰＣＢＢｉ１ＢＰ）、４−（１−ナフチル）−４’−（９−フェニル−９Ｈ−カルバゾール−３−イル）−トリフェニルアミン（略称：ＰＣＢＡＮＢ）、４、４’−ジ（１−ナフチル）−４’’−（９−フェニル−９Ｈ−カルバゾール−３−イル）トリフェニルアミン（略称：ＰＣＢＮＢＢ）、９，９−ジメチル−Ｎ−フェニル−Ｎ−［４−（９−フェニル−９Ｈ−カルバゾール−３−イル）フェニル］−フルオレン−２−アミン（略称：ＰＣＢＡＦ）、Ｎ−フェニル−Ｎ−［４−（９−フェニル−９Ｈ−カルバゾール−３−イル）フェニル］−スピロ−９，９’−ビフルオレン−２−アミン（略称：ＰＣＢＡＳＦ）などの芳香族アミン骨格を有する化合物や、１，３−ビス（Ｎ−カルバゾリル）ベンゼン（略称：ｍＣＰ）、４，４’−ジ（Ｎ−カルバゾリル）ビフェニル（略称：ＣＢＰ）、３，６−ビス（３，５−ジフェニルフェニル）−９−フェニルカルバゾール（略称：ＣｚＴＰ）、３，３’−ビス（９−フェニル−９Ｈ−カルバゾール）（略称：ＰＣＣＰ）などのカルバゾール骨格を有する化合物や、４，４’，４’’−（ベンゼン−１，３，５−トリイル）トリ（ジベンゾチオフェン）（略称：ＤＢＴ３Ｐ−ＩＩ）、２，８−ジフェニル−４−［４−（９−フェニル−９Ｈ−フルオレン−９−イル）フェニル］ジベンゾチオフェン（略称：ＤＢＴＦＬＰ−ＩＩＩ）、４−［４−（９−フェニル−９Ｈ−フルオレン−９−イル）フェニル］−６−フェニルジベンゾチオフェン（略称：ＤＢＴＦＬＰ−ＩＶ）などのチオフェン骨格を有する化合物や、４，４’，４’’−（ベンゼン−１，３，５−トリイル）トリ（ジベンゾフラン）（略称：ＤＢＦ３Ｐ−ＩＩ）、４−｛３−［３−（９−フェニル−９Ｈ−フルオレン−９−イル）フェニル］フェニル｝ジベンゾフラン（略称：ｍｍＤＢＦＦＬＢｉ−ＩＩ）などのフラン骨格を有する化合物が挙げられる。上述した中でも、芳香族アミン骨格を有する化合物やカルバゾール骨格を有する化合物は、信頼性が良好であり、また、正孔輸送性が高く、駆動電圧低減にも寄与するため好ましい。また、以上で述べた正孔輸送材料の他、様々な物質の中から正孔輸送材料を用いても良い。
【０１７５】
発光物質として蛍光発光物質を用いる場合は、９−フェニル−３−［４−（１０−フェニル−９−アントリル）フェニル］−９Ｈ−カルバゾール（略称：ＰＣｚＰＡ）、３−［４−（１−ナフチル）−フェニル］−９−フェニル−９Ｈ−カルバゾール（略称：ＰＣＰＮ）、９−［４−（１０−フェニル−９−アントラセニル）フェニル］−９Ｈ−カルバゾール（略称：ＣｚＰＡ）、７−［４−（１０−フェニル−９−アントリル）フェニル］−７Ｈ−ジベンゾ［ｃ，ｇ］カルバゾール（略称：ｃｇＤＢＣｚＰＡ）、６−［３−（９，１０−ジフェニル−２−アントリル）フェニル］−ベンゾ［ｂ］ナフト［１，２−ｄ］フラン（略称：２ｍＢｎｆＰＰＡ）、９−フェニル−１０−｛４−（９−フェニル−９Ｈ−フルオレン−９−イル）−ビフェニル−４’−イル｝−アントラセン（略称：ＦＬＰＰＡ）等のアントラセン骨格を有する材料が好適である。アントラセン骨格を有する物質を蛍光発光物質のホスト材料として用いると、発光効率、耐久性共に良好な発光層を実現することが可能である。特に、ＣｚＰＡ、ｃｇＤＢＣｚＰＡ、２ｍＢｎｆＰＰＡ、ＰＣｚＰＡは非常に良好な特性を示すため、好ましい選択である。
【０１７６】
なお、ホスト材料は複数種の物質を混合した材料であっても良く、混合したホスト材料を用いる場合は、電子輸送性を有する材料と、正孔輸送性を有する材料とを混合することが好ましい。電子輸送性を有する材料と、正孔輸送性を有する材料を混合することによって、発光層１１３の輸送性を容易に調整することができ、再結合領域の制御も簡便に行うことができる。正孔輸送性を有する材料と電子輸送性を有する材料の含有量の比は、正孔輸送性を有する材料：電子輸送性を有する材料＝１：９から９：１とすればよい。
【０１７７】
また、これら混合されたホスト材料同士で励起錯体を形成しても良い。当該励起錯体は、蛍光発光物質、りん光発光物質及びＴＡＤＦ材料の最も低エネルギー側の吸収帯の波長と重なるような発光を呈する励起錯体を形成するような組み合わせを選択することで、エネルギー移動がスムーズとなり、効率よく発光が得られるようになる。また、当該構成は駆動電圧も低下するため好ましい構成である。
【０１７８】
以上のような構成を有する発光層１１３は、真空蒸着法での共蒸着や、混合溶液として、グラビア印刷法、オフセット印刷法、インクジェット法、スピンコート法やディップコート法などを用いて作製することができる。
【０１７９】
電子輸送層１１４は、電子輸送性を有する物質を含む層である。電子輸送性を有する物質としては、上記ホスト材料に用いることが可能な電子輸送性を有する材料として挙げた材料や、アントラセン骨格を有する材料を用いることができる。
【０１８０】
また、電子輸送層と発光層との間に電子キャリアの移動を制御する層を設けても良い。これは上述したような電子輸送性の高い材料に、電子トラップ性の高い物質を少量添加した層であって、電子キャリアの移動を抑制することによって、キャリアバランスを調節することが可能となる。このような構成は、発光層を電子が突き抜けてしまうことにより発生する問題（例えば素子寿命の低下）の抑制に大きな効果を発揮する。
【０１８１】
また、電子輸送層１１４と第２の電極１０２との間に、第２の電極１０２に接して電子注入層１１５を設けてもよい。電子注入層１１５としては、フッ化リチウム（ＬｉＦ）、フッ化セシウム（ＣｓＦ）、フッ化カルシウム（ＣａＦ２）等のようなアルカリ金属又はアルカリ土類金属又はそれらの化合物を用いることができる。例えば、電子輸送性を有する物質からなる層中にアルカリ金属又はアルカリ土類金属又はそれらの化合物を含有させたものを用いることができる。また、電子注入層１１５にエレクトライドを用いてもよい。エレクトライドとしては、例えば、カルシウムとアルミニウムの混合酸化物に電子を高濃度添加した物質等が挙げられる。なお、電子注入層１１５として、電子輸送性を有する物質からなる層中にアルカリ金属又はアルカリ土類金属を含有させたものを用いることにより、第２の電極１０２からの電子注入が効率良く行われるためより好ましい。
【０１８２】
また、電子注入層１１５の代わりに電荷発生層１１６を設けても良い（図１（Ｂ））。電荷発生層１１６は、電位をかけることによって当該層の陰極側に接する層に正孔を、陽極側に接する層に電子を注入することができる層のことである。電荷発生層１１６には、少なくともＰ型層１１７が含まれる。Ｐ型層１１７は、上述の正孔注入層１１１を構成することができる材料として挙げた複合材料を用いて形成することが好ましい。またＰ型層１１７は、複合材料を構成する材料として上述したアクセプター材料を含む膜と正孔輸送材料を含む膜とを積層して構成しても良い。Ｐ型層１１７に電位をかけることによって、電子輸送層１１４に電子が、陰極である第２の電極１０２に正孔が注入され、発光素子が動作する。この際、電子輸送層１１４の電荷発生層１１６に接する位置に、本発明の一態様の有機化合物を含む層が存在することによって、発光素子の駆動時間の蓄積に伴う輝度低下が抑制され、寿命の長い発光素子を得ることができる。
【０１８３】
なお、電荷発生層１１６はＰ型層１１７の他に電子リレー層１１８及び電子注入バッファ層１１９のいずれか一又は両方がもうけられていることが好ましい。
【０１８４】
電子リレー層１１８は少なくとも電子輸送性を有する物質を含み、電子注入バッファ層１１９とＰ型層１１７との相互作用を防いで電子をスムーズに受け渡す機能を有する。電子リレー層１１８に含まれる電子輸送性を有する物質のＬＵＭＯ準位は、Ｐ型層１１７におけるアクセプター性物質のＬＵＭＯ準位と、電子輸送層１１４における電荷発生層１１６に接する層に含まれる物質のＬＵＭＯ準位との間であることが好ましい。電子リレー層１１８に用いられる電子輸送性を有する物質におけるＬＵＭＯ準位の具体的なエネルギー準位は−５．０ｅＶ以上、好ましくは−５．０ｅＶ以上−３．０ｅＶ以下とするとよい。なお、電子リレー層１１８に用いられる電子輸送性を有する物質としてはフタロシアニン系の材料又は金属−酸素結合と芳香族配位子を有する金属錯体を用いることが好ましい。
【０１８５】
電子注入バッファ層１１９には、アルカリ金属、アルカリ土類金属、希土類金属、およびこれらの化合物（アルカリ金属化合物（酸化リチウム等の酸化物、ハロゲン化物、炭酸リチウムや炭酸セシウム等の炭酸塩を含む）、アルカリ土類金属化合物（酸化物、ハロゲン化物、炭酸塩を含む）、または希土類金属の化合物（酸化物、ハロゲン化物、炭酸塩を含む））等の電子注入性の高い物質を用いることが可能である。
【０１８６】
また、電子注入バッファ層１１９が、電子輸送性を有する物質とドナー性物質を含んで形成される場合には、ドナー性物質として、アルカリ金属、アルカリ土類金属、希土類金属、およびこれらの化合物（アルカリ金属化合物（酸化リチウム等の酸化物、ハロゲン化物、炭酸リチウムや炭酸セシウム等の炭酸塩を含む）、アルカリ土類金属化合物（酸化物、ハロゲン化物、炭酸塩を含む）、または希土類金属の化合物（酸化物、ハロゲン化物、炭酸塩を含む））の他、テトラチアナフタセン（略称：ＴＴＮ）、ニッケロセン、デカメチルニッケロセン等の有機化合物を用いることもできる。なお、電子輸送性を有する物質としては、先に説明した電子輸送層１１４を構成する材料と同様の材料を用いて形成することができる。また、本発明の有機化合物を用いることもできる。
【０１８７】
第２の電極１０２を形成する物質としては、仕事関数の小さい（具体的には３．８ｅＶ以下）金属、合金、電気伝導性化合物、およびこれらの混合物などを用いることができる。このような陰極材料の具体例としては、リチウム（Ｌｉ）やセシウム（Ｃｓ）等のアルカリ金属、およびマグネシウム（Ｍｇ）、カルシウム（Ｃａ）、ストロンチウム（Ｓｒ）等の元素周期表の第１族または第２族に属する元素、およびこれらを含む合金（ＭｇＡｇ、ＡｌＬｉ）、ユウロピウム（Ｅｕ）、イッテルビウム（Ｙｂ）等の希土類金属およびこれらを含む合金等が挙げられる。しかしながら、第２の電極１０２と電子輸送層との間に、電子注入層を設けることにより、仕事関数の大小に関わらず、Ａｌ、Ａｇ、ＩＴＯ、ケイ素若しくは酸化ケイ素を含有した酸化インジウム−酸化スズ等様々な導電性材料を第２の電極１０２として用いることができる。これら導電性材料は、真空蒸着法やスパッタリング法などの乾式法、インクジェット法、スピンコート法等を用いて成膜することが可能である。また、ゾル−ゲル法を用いて湿式法で形成しても良いし、金属材料のペーストを用いて湿式法で形成してもよい。
【０１８８】
また、ＥＬ層１０３の形成方法としては、乾式法、湿式法を問わず、種々の方法を用いることができる。例えば、真空蒸着法、グラビア印刷法、オフセット印刷法、スクリーン印刷法、インクジェット法またはスピンコート法など用いても構わない。
【０１８９】
電極についても、ゾル−ゲル法を用いて湿式法で形成しても良いし、金属材料のペーストを用いて湿式法で形成してもよい。また、スパッタリング法や真空蒸着法などの乾式法を用いて形成しても良い。
【０１９０】
当該発光素子の発光は、第１の電極１０１または第２の電極１０２のいずれか一方または両方を通って外部に取り出される。従って、第１の電極１０１または第２の電極１０２のいずれか一方または両方を透光性を有する電極で形成する。
【０１９１】
なお、第１の電極１０１と第２の電極１０２との間に設けられる層の構成は、上記のものには限定されない。しかし、発光領域と電極やキャリア注入層に用いられる金属とが近接することによって生じる消光が抑制されるように、第１の電極１０１および第２の電極１０２から離れた部位に正孔と電子とが再結合する発光領域を設けた構成が好ましい。
【０１９２】
また、発光層１１３に接する正孔輸送層や電子輸送層、特に発光層１１３における再結合領域に近い方に接するキャリア輸送層は、発光層で生成した励起子からのエネルギー移動を抑制するため、そのバンドギャップが発光層を構成する発光物質もしくは、発光層に含まれる発光中心物質が有するバンドギャップより大きいバンドギャップを有する物質で構成することが好ましい。
【０１９３】
続いて、複数の発光ユニットを積層した構成の発光素子（積層型素子ともいう）の態様について、図１（Ｃ）を参照して説明する。この発光素子は、陽極と陰極との間に、複数の発光ユニットを有する発光素子である。一つの発光ユニットは、図１（Ａ）で示したＥＬ層１０３と同様な構成を有する。つまり、図１（Ａ）又は図１（Ｂ）で示した発光素子は、１つの発光ユニットを有する発光素子であり、図１（Ｃ）で示した発光素子は複数の発光ユニットを有する発光素子であるということができる。
【０１９４】
図１（Ｃ）において、第１の電極５０１と第２の電極５０２との間には、第１の発光ユニット５１１と第２の発光ユニット５１２が積層されており、第１の発光ユニット５１１と第２の発光ユニット５１２との間には電荷発生層５１３が設けられている。第１の電極５０１と第２の電極５０２はそれぞれ図１（Ａ）における第１の電極１０１と第２の電極１０２に相当し、図１（Ａ）の説明で述べたものと同じものを適用することができる。また、第１の発光ユニット５１１と第２の発光ユニット５１２は同じ構成であっても異なる構成であってもよい。
【０１９５】
電荷発生層５１３は、第１の電極５０１と第２の電極５０２に電圧を印加したときに、一方の発光ユニットに電子を注入し、他方の発光ユニットに正孔を注入する機能を有する。すなわち、図１（Ｃ）において、第１の電極の電位の方が第２の電極の電位よりも高くなるように電圧を印加した場合、電荷発生層５１３は、第１の発光ユニット５１１に電子を注入し、第２の発光ユニット５１２に正孔を注入するものであればよい。
【０１９６】
電荷発生層５１３は、図１（Ｂ）にて説明した電荷発生層１１６と同様の構成で形成することが好ましい。有機化合物と金属酸化物の複合材料は、キャリア注入性、キャリア輸送性に優れているため、低電圧駆動、低電流駆動を実現することができる。なお、発光ユニットの陽極側の面が電荷発生層５１３に接している場合は、電荷発生層５１３が発光ユニットの正孔注入層の役割も担うことができるため、発光ユニットは正孔注入層を設けなくとも良い。
【０１９７】
また、電子注入バッファ層１１９を設ける場合、当該層が陽極側の発光ユニットにおける電子注入層の役割を担うため、当該発光ユニットには必ずしも重ねて電子注入層を形成する必要はない。
【０１９８】
なお、発光ユニット中、電荷発生層５１３における陽極側の面に接する層（代表的には陽極側の発光ユニットにおける電子輸送層）に実施の形態１で説明した本発明の一態様の有機化合物が含まれることによって、駆動時間の蓄積に伴う輝度劣化を抑制することが可能となり、信頼性の良好な発光素子を得ることができる。
【０１９９】
図１（Ｃ）では、２つの発光ユニットを有する発光素子について説明したが、３つ以上の発光ユニットを積層した発光素子についても、同様に適用することが可能である。本実施の形態に係る発光素子のように、一対の電極間に複数の発光ユニットを電荷発生層５１３で仕切って配置することで、電流密度を低く保ったまま、高輝度発光を可能とし、さらに長寿命な素子を実現できる。また、低電圧駆動が可能で消費電力が低い発光装置を実現することができる。
【０２００】
また、それぞれの発光ユニットの発光色を異なるものにすることで、発光素子全体として、所望の色の発光を得ることができる。例えば、２つの発光ユニットを有する発光素子において、第１の発光ユニットで赤と緑の発光色、第２の発光ユニットで青の発光色を得ることで、発光素子全体として白色発光する発光素子を得ることも容易である。
【０２０１】
≪微小光共振器（マイクロキャビティ）構造≫
マイクロキャビティ構造を有する発光素子は、上記一対の電極を、反射電極と半透過・半反射電極とから構成することにより得られる。反射電極と半透過・半反射電極は上述の第１の電極と第２の電極に相当する。反射電極と半透過・半反射電極との間には少なくともＥＬ層を有し、ＥＬ層は少なくとも発光領域となる発光層を有している。
【０２０２】
ＥＬ層に含まれる発光層から射出される発光は、反射電極と半透過・半反射電極とによって反射され、共振する。なお、反射電極は、可視光の反射率が４０％から１００％、好ましくは７０％から１００％であり、その抵抗率が１×１０−２Ωｃｍ以下であるとする。また、半透過・半反射電極は可視光の反射率が２０％から８０％、好ましくは４０％から７０％であり、その抵抗率が１×１０−２Ωｃｍ以下であるとする。
【０２０３】
また、当該発光素子は、透明導電膜や上述の複合材料、キャリア輸送材料などの厚みを変えることで反射電極と半透過・半反射電極の間の光学的距離を変えることができる。これにより、反射電極と半透過・半反射電極との間において、共振する波長の光を強め、共振しない波長の光を減衰させることができる。
【０２０４】
なお、発光層から発する光のうち、反射電極によって反射されて戻ってきた光（第１の反射光）は、発光層から半透過・半反射電極に直接入射する光（第１の入射光）と大きな干渉を起こすため、反射電極と発光層の光学的距離を（２ｎ−１）λ／４（ただし、ｎは１以上の自然数、λは増幅したい色の波長）に調節することが好ましい。これにより、第１の反射光と第１の入射光との位相を合わせ発光層からの発光をより増幅させることができる。
【０２０５】
なお、上記構成においては、ＥＬ層に複数の発光層を有する構造であっても、単一の発光層を有する構造であっても良く、例えば、上述のタンデム型発光素子の構成と組み合わせて、一つの発光素子に電荷発生層を挟んで複数のＥＬ層を設け、それぞれのＥＬ層に単数もしくは複数の発光層を形成する構成に適用してもよい。
【０２０６】
≪発光装置≫
本発明の一態様の発光装置について図２を用いて説明する。なお、図２（Ａ）は、発光装置を示す上面図、図２（Ｂ）は図２（Ａ）をＡ−ＢおよびＣ−Ｄで切断した断面図である。この発光装置は、発光素子の発光を制御するものとして、点線で示された駆動回路部（ソース線駆動回路）６０１、画素部６０２、駆動回路部（ゲート線駆動回路）６０３を含んでいる。また、６０４は封止基板、６０５はシール材であり、シール材６０５で囲まれた内側は、空間６０７になっている。
【０２０７】
なお、引き回し配線６０８はソース線駆動回路６０１及びゲート線駆動回路６０３に入力される信号を伝送するための配線であり、外部入力端子となるＦＰＣ（フレキシブルプリントサーキット）６０９からビデオ信号、クロック信号、スタート信号、リセット信号等を受け取る。なお、ここではＦＰＣしか図示されていないが、このＦＰＣにはプリント配線基板（ＰＷＢ）が取り付けられていても良い。本明細書における発光装置には、発光装置本体だけでなく、それにＦＰＣもしくはＰＷＢが取り付けられた状態をも含むものとする。
【０２０８】
次に、断面構造について図２（Ｂ）を用いて説明する。素子基板６１０上には駆動回路部及び画素部が形成されているが、ここでは、駆動回路部であるソース線駆動回路６０１と、画素部６０２中の一つの画素が示されている。
【０２０９】
なお、ソース線駆動回路６０１はｎチャネル型ＦＥＴ６２３とｐチャネル型ＦＥＴ６２４とを組み合わせたＣＭＯＳ回路が形成される。また、駆動回路は、種々のＣＭＯＳ回路、ＰＭＯＳ回路もしくはＮＭＯＳ回路で形成しても良い。また、本実施の形態では、基板上に駆動回路を形成したドライバ一体型を示すが、必ずしもその必要はなく、駆動回路を基板上ではなく外部に形成することもできる。
【０２１０】
また、画素部６０２はスイッチング用ＦＥＴ６１１と、電流制御用ＦＥＴ６１２とそのドレインに電気的に接続された第１の電極６１３とを含む複数の画素により形成されているが、これに限定されず、３つ以上のＦＥＴと、容量素子とを組み合わせた画素部としてもよい。
【０２１１】
ＦＥＴに用いる半導体の種類及び結晶性については特に限定されず、非晶質半導体を用いてもよいし、結晶性半導体を用いてもよい。ＦＥＴに用いる半導体の例としては、第１４族（ケイ素等）半導体、半導体、化合物半導体、酸化物半導体、有機半導体材料を用いることができるが、特に、酸化物半導体を用いると好ましい。該酸化物半導体としては、例えば、Ｉｎ−Ｇａ酸化物、Ｉｎ−Ｍ−Ｚｎ酸化物（Ｍは、Ａｌ、Ｇａ、Ｙ、Ｚｒ、Ｌａ、Ｃｅ、またはＮｄ）等が挙げられる。なお、エネルギーギャップが２ｅＶ以上、好ましくは２．５ｅＶ以上、さらに好ましくは３ｅＶ以上の酸化物半導体材料を用いることで、トランジスタのオフ電流を低減することができるため、好ましい構成である。
【０２１２】
なお、第１の電極６１３の端部を覆って絶縁物６１４が形成されている。ここでは、ポジ型の感光性アクリル樹脂膜を用いることにより形成することができる。
【０２１３】
また、被覆性を良好なものとするため、絶縁物６１４の上端部または下端部に曲率を有する曲面が形成されるようにする。例えば、絶縁物６１４の材料としてポジ型の感光性アクリルを用いた場合、絶縁物６１４の上端部のみに曲率半径（０．２μｍから３μｍ）を有する曲面を持たせることが好ましい。また、絶縁物６１４として、ネガ型の感光性樹脂、或いはポジ型の感光性樹脂のいずれも使用することができる。
【０２１４】
第１の電極６１３上には、ＥＬ層６１６及び第２の電極６１７がそれぞれ形成されている。これらはそれぞれ図１（Ａ）あるいは図１（Ｂ）で説明した第１の電極１０１、ＥＬ層１０３及び第２の電極１０２又は図１（Ｃ）で説明した第１の電極５０１、ＥＬ層５０３及び第２の電極５０２に相当する。
【０２１５】
ＥＬ層６１６には本発明の一態様の有機金属錯体が含まれることが好ましい。当該有機金属錯体は、発光層における発光中心物質として用いられることが好ましい。
【０２１６】
さらにシール材６０５で封止基板６０４を素子基板６１０と貼り合わせることにより、素子基板６１０、封止基板６０４、およびシール材６０５で囲まれた空間６０７に発光素子６１８が備えられた構造になっている。なお、空間６０７には、充填材が充填されており、不活性気体（窒素やアルゴン等）が充填される場合の他、シール材６０５で充填される場合もある。封止基板には凹部を形成し、そこに乾燥材を設けると水分の影響による劣化を抑制することができ、好ましい構成である。
【０２１７】
シール材６０５にはエポキシ系樹脂やガラスフリットを用いるのが好ましい。また、これらの材料はできるだけ水分や酸素を透過しない材料であることが望ましい。また、素子基板６１０及び封止基板６０４に用いる材料としてガラス基板や石英基板の他、ＦＲＰ（Ｆｉｂｅｒ  Ｒｅｉｎｆｏｒｃｅｄ  Ｐｌａｓｔｉｃｓ）、ＰＶＦ（ポリビニルフロライド）、ポリエステルまたはアクリル等からなるプラスチック基板を用いることができる。
【０２１８】
例えば、本明細書等において、様々な基板を用いて、トランジスタや発光素子を形成することが出来る。基板の種類は、特定のものに限定されることはない。その基板の一例としては、半導体基板（例えば単結晶基板又はシリコン基板）、ＳＯＩ基板、ガラス基板、石英基板、プラスチック基板、金属基板、ステンレス・スチル基板、ステンレス・スチル・ホイルを有する基板、タングステン基板、タングステン・ホイルを有する基板、可撓性基板、貼り合わせフィルム、繊維状の材料を含む紙、又は基材フィルムなどがある。ガラス基板の一例としては、バリウムホウケイ酸ガラス、アルミノホウケイ酸ガラス、又はソーダライムガラスなどがある。可撓性基板、貼り合わせフィルム、基材フィルムなどの一例としては、以下のものがあげられる。例えば、ポリエチレンテレフタレート（ＰＥＴ）、ポリエチレンナフタレート（ＰＥＮ）、ポリエーテルサルフォン（ＰＥＳ）に代表されるプラスチックがある。または、一例としては、アクリル等の合成樹脂などがある。または、一例としては、ポリテトラフルオロエチレン（ＰＴＦＥ）、ポリプロピレン、ポリエステル、ポリフッ化ビニル、又はポリ塩化ビニルなどがある。または、一例としては、ポリアミド、ポリイミド、アラミド、エポキシ、無機蒸着フィルム、又は紙類などがある。特に、半導体基板、単結晶基板、又はＳＯＩ基板などを用いてトランジスタを製造することによって、特性、サイズ、又は形状などのばらつきが少なく、電流能力が高く、サイズの小さいトランジスタを製造することができる。このようなトランジスタによって回路を構成すると、回路の低消費電力化、又は回路の高集積化を図ることができる。
【０２１９】
また、基板として、可撓性基板を用い、可撓性基板上に直接、トランジスタや発光素子を形成してもよい。または、基板とトランジスタの間や、基板と発光素子の間に剥離層を設けてもよい。剥離層は、その上に半導体装置を一部あるいは全部完成させた後、基板より分離し、他の基板に転載するために用いることができる。その際、トランジスタは耐熱性の劣る基板や可撓性の基板にも転載できる。なお、上述の剥離層には、例えば、タングステン膜と酸化シリコン膜との無機膜の積層構造の構成や、基板上にポリイミド等の有機樹脂膜が形成された構成等を用いることができる。
【０２２０】
つまり、ある基板を用いてトランジスタや発光素子を形成し、その後、別の基板にトランジスタや発光素子を転置し、別の基板上にトランジスタや発光素子を配置してもよい。トランジスタや発光素子が転置される基板の一例としては、上述したトランジスタを形成することが可能な基板に加え、紙基板、セロファン基板、アラミドフィルム基板、ポリイミドフィルム基板、石材基板、木材基板、布基板（天然繊維（絹、綿、麻）、合成繊維（ナイロン、ポリウレタン、ポリエステル）若しくは再生繊維（アセテート、キュプラ、レーヨン、再生ポリエステル）などを含む）、皮革基板、又はゴム基板などがある。これらの基板を用いることにより、特性のよいトランジスタの形成、消費電力の小さいトランジスタの形成、壊れにくい装置の製造、耐熱性の付与、軽量化、又は薄型化を図ることができる。
【０２２１】
図３には白色発光を呈する発光素子を形成し、着色層（カラーフィルタ）等を設けることによってフルカラー化した発光装置の例を示す。図３（Ａ）には基板１００１、下地絶縁膜１００２、ゲート絶縁膜１００３、ゲート電極１００６、１００７、１００８、第１の層間絶縁膜１０２０、第２の層間絶縁膜１０２１、周辺部１０４２、画素部１０４０、駆動回路部１０４１、発光素子の第１の電極１０２４Ｗ、１０２４Ｒ、１０２４Ｇ、１０２４Ｂ、隔壁１０２５、ＥＬ層１０２８、発光素子の第２の電極１０２９、封止基板１０３１、シール材１０３２などが図示されている。
【０２２２】
また、図３（Ａ）では着色層（赤色の着色層１０３４Ｒ、緑色の着色層１０３４Ｇ、青色の着色層１０３４Ｂ）は透明な基材１０３３に設けている。また、黒色層（ブラックマトリックス）１０３５をさらに設けても良い。着色層及び黒色層が設けられた透明な基材１０３３は、位置合わせし、基板１００１に固定する。なお、着色層、及び黒色層は、オーバーコート層１０３６で覆われている。また、図３（Ａ）においては、光が着色層を透過せずに外部へと出る発光層と、各色の着色層を透過して外部に光が出る発光層とがあり、着色層を透過しない光は白、着色層を透過する光は赤、青、緑となることから、４色の画素で映像を表現することができる。
【０２２３】
なお、本発明の一態様の有機金属錯体を発光物質の一つとして用いた発光素子は、発光効率の高い発光素子とすることができ、消費電力の小さな発光素子とすることもできる。
【０２２４】
図３（Ｂ）では着色層（赤色の着色層１０３４Ｒ、緑色の着色層１０３４Ｇ、青色の着色層１０３４Ｂ）をゲート絶縁膜１００３と第１の層間絶縁膜１０２０との間に形成する例を示した。このように、着色層は基板１００１と封止基板１０３１の間に設けられていても良い。
【０２２５】
また、以上に説明した発光装置では、ＦＥＴが形成されている基板１００１側に光を取り出す構造（ボトムエミッション型）の発光装置としたが、封止基板１０３１側に発光を取り出す構造（トップエミッション型）の発光装置としても良い。トップエミッション型の発光装置の断面図を図４に示す。この場合、基板１００１は光を通さない基板を用いることができる。ＦＥＴと発光素子の陽極とを接続する接続電極を作製するまでは、ボトムエミッション型の発光装置と同様に形成する。その後、第３の層間絶縁膜１０３７を電極１０２２を覆って形成する。この絶縁膜は平坦化の役割を担っていても良い。第３の層間絶縁膜１０３７は第２の層間絶縁膜と同様の材料の他、他の様々な材料を用いて形成することができる。
【０２２６】
発光素子の第１の電極１０２４Ｗ、１０２４Ｒ、１０２４Ｇ、１０２４Ｂはここでは陽極とするが、陰極であっても構わない。また、図４のようなトップエミッション型の発光装置である場合、第１の電極を反射電極とすることが好ましい。ＥＬ層１０２８の構成は、図１（Ａ）または図１（Ｂ）のＥＬ層１０３または図１（Ｃ）のＥＬ層５０３として説明したような構成とし、且つ、白色の発光が得られるような素子構造とする。
【０２２７】
図４のようなトップエミッションの構造では着色層（赤色の着色層１０３４Ｒ、緑色の着色層１０３４Ｇ、青色の着色層１０３４Ｂ）を設けた封止基板１０３１で封止を行うことができる。封止基板１０３１には画素と画素との間に位置するように黒色層（ブラックマトリックス）１０３５を設けても良い。着色層（赤色の着色層１０３４Ｒ、緑色の着色層１０３４Ｇ、青色の着色層１０３４Ｂ）や黒色層（ブラックマトリックス）はオーバーコート層によって覆われていても良い。なお封止基板１０３１は透光性を有する基板を用いることとする。
【０２２８】
また、ここでは赤、緑、青、白の４色でフルカラー表示を行う例を示したが特に限定されず、赤、緑、青の３色や赤、緑、青、黄の４色でフルカラー表示を行ってもよい。
【０２２９】
図５には本発明の一態様であるパッシブマトリクス型の発光装置を示す。なお、図５（Ａ）は、発光装置を示す斜視図、図５（Ｂ）は図５（Ａ）をＸ−Ｙで切断した断面図である。図５において、基板９５１上には、電極９５２と電極９５６との間にはＥＬ層９５５が設けられている。電極９５２の端部は絶縁層９５３で覆われている。そして、絶縁層９５３上には隔壁層９５４が設けられている。隔壁層９５４の側壁は、基板面に近くなるに伴って、一方の側壁と他方の側壁との間隔が狭くなっていくような傾斜を有する。つまり、隔壁層９５４の短辺方向の断面は、台形状であり、底辺（絶縁層９５３の面方向と同様の方向を向き、絶縁層９５３と接する辺）の方が上辺（絶縁層９５３の面方向と同様の方向を向き、絶縁層９５３と接しない辺）よりも短い。このように、隔壁層９５４を設けることで、静電気等に起因した発光素子の不良を防ぐことが出来る。
【０２３０】
以上、説明した発光装置は、マトリクス状に配置された多数の微小な発光素子を、画素部に形成されたＦＥＴでそれぞれ制御することが可能であるため、画像の表現を行う表示装置として好適に利用できる発光装置である。
【０２３１】
≪照明装置≫
本発明の一態様である照明装置を図６を参照しながら説明する。図６（Ｂ）は照明装置の上面図、図６（Ａ）は図６（Ｂ）におけるｅ−ｆ断面図である。
【０２３２】
当該照明装置は、支持体である透光性を有する基板４００上に、第１の電極４０１が形成されている。第１の電極４０１は図１（Ａ）、（Ｂ）の第１の電極１０１に相当する。第１の電極４０１側から発光を取り出す場合、第１の電極４０１は透光性を有する材料により形成する。
【０２３３】
第２の電極４０４に電圧を供給するためのパッド４１２が基板４００上に形成される。
【０２３４】
第１の電極４０１上にはＥＬ層４０３が形成されている。ＥＬ層４０３は図１（Ａ）、（Ｂ）のＥＬ層１０３又は図１（Ｃ）のＥＬ層５０３などに相当する。なお、これらの構成については当該記載を参照されたい。
【０２３５】
ＥＬ層４０３を覆って第２の電極４０４を形成する。第２の電極４０４は図１（Ａ）の第２の電極１０２に相当する。発光を第１の電極４０１側から取り出す場合、第２の電極４０４は反射率の高い材料を含んで形成される。第２の電極４０４はパッド４１２と接続することによって、電圧が供給される。
【０２３６】
第１の電極４０１、ＥＬ層４０３及び第２の電極４０４によって発光素子が形成される。当該発光素子を、シール材４０５、４０６を用いて封止基板４０７を固着し、封止することによって照明装置が完成する。シール材４０５、４０６はどちらか一方でもかまわない。また、内側のシール材４０６（図６（Ｂ）では図示せず）には乾燥剤を混ぜることもでき、これにより、水分を吸着することができ、信頼性の向上につながる。
【０２３７】
また、パッド４１２と第１の電極４０１の一部をシール材４０５、４０６の外に伸張して設けることによって、外部入力端子とすることができる。また、その上にコンバーターなどを搭載したＩＣチップ４２０などを設けても良い。
【０２３８】
≪電子機器≫
本発明の一態様である電子機器の例について説明する。電子機器として、例えば、テレビジョン装置（テレビ、またはテレビジョン受信機ともいう）、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。これらの電子機器の具体例を以下に示す。
【０２３９】
図７（Ａ）は、テレビジョン装置の一例を示している。テレビジョン装置は、筐体７１０１に表示部７１０３が組み込まれている。また、ここでは、スタンド７１０５により筐体７１０１を支持した構成を示している。表示部７１０３により、映像を表示することが可能であり、表示部７１０３は、発光素子をマトリクス状に配列して構成されている。
【０２４０】
テレビジョン装置の操作は、筐体７１０１が備える操作スイッチや、別体のリモコン操作機７１１０により行うことができる。リモコン操作機７１１０が備える操作キー７１０９により、チャンネルや音量の操作を行うことができ、表示部７１０３に表示される映像を操作することができる。また、リモコン操作機７１１０に、当該リモコン操作機７１１０から出力する情報を表示する表示部７１０７を設ける構成としてもよい。
【０２４１】
なお、テレビジョン装置は、受信機やモデムなどを備えた構成とする。受信機により一般のテレビ放送の受信を行うことができ、さらにモデムを介して有線または無線による通信ネットワークに接続することにより、一方向（送信者から受信者）または双方向（送信者と受信者間、あるいは受信者間同士など）の情報通信を行うことも可能である。
【０２４２】
図７（Ｂ１）はコンピュータであり、本体７２０１、筐体７２０２、表示部７２０３、キーボード７２０４、外部接続ポート７２０５、ポインティングデバイス７２０６等を含む。なお、このコンピュータは、発光素子をマトリクス状に配列して表示部７２０３に用いることにより作製される。図７（Ｂ１）のコンピュータは、図７（Ｂ２）のような形態であっても良い。図７（Ｂ２）のコンピュータは、キーボード７２０４、ポインティングデバイス７２０６の代わりに第２の表示部７２１０が設けられている。第２の表示部７２１０はタッチパネル式となっており、第２の表示部７２１０に表示された入力用の表示を指や専用のペンで操作することによって入力を行うことができる。また、第２の表示部７２１０は入力用表示だけでなく、その他の画像を表示することも可能である。また表示部７２０３もタッチパネルであっても良い。二つの画面がヒンジで接続されていることによって、収納や運搬をする際に画面を傷つける、破損するなどのトラブルの発生も防止することができる。
【０２４３】
図７（Ｃ）（Ｄ）は、携帯情報端末の一例を示している。携帯情報端末は、筐体７４０１に組み込まれた表示部７４０２の他、操作ボタン７４０３、外部接続ポート７４０４、スピーカ７４０５、マイク７４０６などを備えている。なお、携帯情報端末は、発光素子をマトリクス状に配列して作製された表示部７４０２を有している。
【０２４４】
図７（Ｃ）及び（Ｄ）に示す携帯情報端末は、表示部７４０２を指などで触れることで、情報を入力することができる構成とすることもできる。この場合、電話を掛ける、或いはメールを作成するなどの操作は、表示部７４０２を指などで触れることにより行うことができる。
【０２４５】
表示部７４０２の画面は主として３つのモードがある。第１は、画像の表示を主とする表示モードであり、第２は、文字等の情報の入力を主とする入力モードである。第３は表示モードと入力モードの２つのモードが混合した表示＋入力モードである。
【０２４６】
例えば、電話を掛ける、或いはメールを作成する場合は、表示部７４０２を文字の入力を主とする文字入力モードとし、画面に表示させた文字の入力操作を行えばよい。この場合、表示部７４０２の画面のほとんどにキーボードまたは番号ボタンを表示させることが好ましい。
【０２４７】
また、携帯電話機内部に、ジャイロ、加速度センサ等の傾きを検出するセンサを有する検出装置を設けることで、携帯電話機の向き（縦か横か）を判断して、表示部７４０２の画面表示を自動的に切り替えるようにすることができる。
【０２４８】
また、画面モードの切り替えは、表示部７４０２を触れること、又は筐体７４０１の操作ボタン７４０３の操作により行われる。また、表示部７４０２に表示される画像の種類によって切り替えるようにすることもできる。例えば、表示部に表示する画像信号が動画のデータであれば表示モード、テキストデータであれば入力モードに切り替える。
【０２４９】
また、入力モードにおいて、表示部７４０２の光センサで検出される信号を検知し、表示部７４０２のタッチ操作による入力が一定期間ない場合には、画面のモードを入力モードから表示モードに切り替えるように制御してもよい。
【０２５０】
表示部７４０２は、イメージセンサとして機能させることもできる。例えば、表示部７４０２に掌や指で触れ、掌紋、指紋等を撮像することで、本人認証を行うことができる。また、表示部に近赤外光を発光するバックライトまたは近赤外光を発光するセンシング用光源を用いれば、指静脈、掌静脈などを撮像することもできる。
【０２５１】
なお、上記電子機器は、本明細書中に示した構成を適宜組み合わせて用いることができる。
【０２５２】
また、表示部に本発明の一態様の有機金属錯体を含む発光素子を用いることが好ましい。当該発光素子は発光効率が良好な発光素子とすることが可能である。また、駆動電圧の小さい発光素子とすることが可能である。このため、本発明の一態様の有機金属錯体を含む電子機器は消費電力の小さい電子機器とすることができる。
【０２５３】
図８は、発光素子をバックライトに適用した液晶表示装置の一例である。図８に示した液晶表示装置は、筐体９０１、液晶層９０２、バックライトユニット９０３、筐体９０４を有し、液晶層９０２は、ドライバＩＣ９０５と接続されている。バックライトユニット９０３には、発光素子が用いられおり、端子９０６により、電流が供給されている。
【０２５４】
発光素子には本発明の一態様の有機金属錯体を含む発光素子を用いることが好ましく、当該発光素子を液晶表示装置のバックライトに適用することにより、消費電力の低減されたバックライトが得られる。
【０２５５】
図９は、本発明の一態様である電気スタンドの例である。図９に示す電気スタンドは、筐体２００１と、光源２００２を有し、光源２００２として発光素子を用いた照明装置が用いられている。
【０２５６】
図１０は、室内の照明装置３００１の例である。当該照明装置３００１には本発明の一態様の有機金属錯体を含む発光素子を用いることが好ましい。
【０２５７】
本発明の一態様である自動車を図１１に示す。当該自動車はフロントガラスやダッシュボードに発光素子が搭載されている。表示領域５０００から表示領域５００５は発光素子を用いて設けられた表示領域である。本発明の一態様の有機金属錯体を用いることが好ましく、当該有機金属錯体を用いることによって消費電力の小さい発光素子とすることができる。また、これにより表示領域５０００から表示領域５００５は消費電力を抑えられるため、車載に好適である。
【０２５８】
表示領域５０００と表示領域５００１は、自動車のフロントガラスに設けられた、発光素子を用いる表示装置である。この発光素子を、第１の電極と第２の電極を透光性を有する電極で作製することによって、反対側が透けて見える、いわゆるシースルー状態の表示装置とすることができる。シースルー状態の表示であれば、自動車のフロントガラスに設置したとしても、視界の妨げになることなく設置することができる。なお、駆動のためのトランジスタなどを設ける場合には、有機半導体材料による有機トランジスタや、酸化物半導体を用いたトランジスタなど、透光性を有するトランジスタを用いると良い。
【０２５９】
表示領域５００２はピラー部分に設けられた発光素子を用いる表示装置である。表示領域５００２には、車体に設けられた撮像手段からの映像を映し出すことによって、ピラーで遮られた視界を補完することができる。また、同様に、ダッシュボード部分に設けられた表示領域５００３は車体によって遮られた視界を、自動車の外側に設けられた撮像手段からの映像を映し出すことによって、死角を補い、安全性を高めることができる。見えない部分を補完するように映像を映すことによって、より自然に違和感なく安全確認を行うことができる。
【０２６０】
表示領域５００４や表示領域５００５はナビゲーション情報、速度計や回転数、走行距離、給油量、ギア状態、空調の設定など、その他様々な情報を提供することができる。表示は使用者の好みに合わせて適宜その表示項目やレイアウトを変更することができる。なお、これら情報は表示領域５０００から表示領域５００３にも設けることができる。また、表示領域５０００から表示領域５００５は照明装置として用いることも可能である。
【０２６１】
図１２（Ａ）及び図１２（Ｂ）は２つ折り可能なタブレット型端末の一例である。図１２（Ａ）は、開いた状態であり、タブレット型端末は、筐体９６３０、表示部９６３１ａ、表示部９６３１ｂ、表示モード切り替えスイッチ９０３４、電源スイッチ９０３５、省電力モード切り替えスイッチ９０３６、留め具９０３３、を有する。なお、当該タブレット端末は、本発明の一態様の有機金属錯体を含む発光素子を備えた発光装置を表示部９６３１ａ、表示部９６３１ｂの一方又は両方に用いることにより作製される。
【０２６２】
表示部９６３１ａは、一部をタッチパネル領域９６３２ａとすることができ、表示された操作キー９６３７にふれることでデータ入力をすることができる。なお、表示部９６３１ａにおいては、一例として半分の領域が表示のみの機能を有する構成、もう半分の領域がタッチパネルの機能を有する構成を示しているが該構成に限定されない。表示部９６３１ａの全ての領域がタッチパネルの機能を有する構成としても良い。例えば、表示部９６３１ａの全面をキーボードボタン表示させてタッチパネルとし、表示部９６３１ｂを表示画面として用いることができる。
【０２６３】
また、表示部９６３１ｂにおいても表示部９６３１ａと同様に、表示部９６３１ｂの一部をタッチパネル領域９６３２ｂとすることができる。また、タッチパネルのキーボード表示切り替えボタン９６３９が表示されている位置に指やスタイラスなどでふれることで表示部９６３１ｂにキーボードボタンを表示することができる。
【０２６４】
また、タッチパネル領域９６３２ａとタッチパネル領域９６３２ｂに対して同時にタッチ入力することもできる。
【０２６５】
また、表示モード切り替えスイッチ９０３４は、縦表示または横表示などの表示の向きを切り替え、白黒表示やカラー表示の切り替えなどを選択できる。省電力モード切り替えスイッチ９０３６は、タブレット型端末に内蔵している光センサで検出される使用時の外光の光量に応じて表示の輝度を最適なものとすることができる。タブレット型端末は光センサだけでなく、ジャイロ、加速度センサ等の傾きを検出するセンサなどの他の検出装置を内蔵させてもよい。
【０２６６】
また、図１２（Ａ）では表示部９６３１ｂと表示部９６３１ａの表示面積が同じ例を示しているが特に限定されず、一方のサイズともう一方のサイズが異なっていてもよく、表示の品質も異なっていてもよい。例えば一方が他方よりも高精細な表示を行える表示パネルとしてもよい。
【０２６７】
図１２（Ｂ）は、閉じた状態であり、本実施の形態におけるタブレット型端末では、筐体９６３０、太陽電池９６３３、充放電制御回路９６３４、バッテリー９６３５、ＤＣＤＣコンバータ９６３６を備える例を示す。なお、図１２（Ｂ）では充放電制御回路９６３４の一例としてバッテリー９６３５、ＤＣＤＣコンバータ９６３６を有する構成について示している。
【０２６８】
なお、タブレット型端末は２つ折り可能なため、未使用時に筐体９６３０を閉じた状態にすることができる。従って、表示部９６３１ａ、表示部９６３１ｂを保護できるため、耐久性に優れ、長期使用の観点からも信頼性の優れたタブレット型端末を提供できる。
【０２６９】
また、この他にも図１２（Ａ）及び図１２（Ｂ）に示したタブレット型端末は、様々な情報（静止画、動画、テキスト画像など）を表示する機能、カレンダー、日付又は時刻などを表示部に表示する機能、表示部に表示した情報をタッチ入力操作又は編集するタッチ入力機能、様々なソフトウェア（プログラム）によって処理を制御する機能、等を有することができる。
【０２７０】
タブレット型端末の表面に装着された太陽電池９６３３によって、電力をタッチパネル、表示部、または映像信号処理部等に供給することができる。なお、太陽電池９６３３は、筐体９６３０の一面または二面に設けられていると効率的なバッテリー９６３５の充電を行う構成とすることができるため好適である。
【０２７１】
また、図１２（Ｂ）に示す充放電制御回路９６３４の構成、及び動作について図１２（Ｃ）にブロック図を示し説明する。図１２（Ｃ）には、太陽電池９６３３、バッテリー９６３５、ＤＣＤＣコンバータ９６３６、コンバータ９６３８、スイッチＳＷ１からＳＷ３、表示部９６３１について示しており、バッテリー９６３５、ＤＣＤＣコンバータ９６３６、コンバータ９６３８、スイッチＳＷ１からＳＷ３が、図１２（Ｂ）に示す充放電制御回路９６３４に対応する箇所となる。
【０２７２】
まず外光により太陽電池９６３３により発電がされる場合の動作の例について説明する。太陽電池で発電した電力は、バッテリー９６３５を充電するための電圧となるようＤＣＤＣコンバータ９６３６で昇圧または降圧がなされる。そして、表示部９６３１の動作に太陽電池９６３３で充電された電力が用いられる際にはスイッチＳＷ１をオンにし、コンバータ９６３８で表示部９６３１に必要な電圧に昇圧または降圧をすることとなる。また、表示部９６３１での表示を行わない際には、ＳＷ１をオフにし、ＳＷ２をオンにしてバッテリー９６３５の充電を行う構成とすればよい。
【０２７３】
なお、太陽電池９６３３については、発電手段の一例として示したが、発電手段は特に限定されず、圧電素子（ピエゾ素子）や熱電変換素子（ペルティエ素子）などの他の発電手段によってバッテリー９６３５の充電を行う構成であってもよい。無線（非接触）で電力を送受信して充電する無接点電力伝送モジュールや、また他の充電手段を組み合わせて行う構成としてもよく、発電手段を有さなくとも良い。
【０２７４】
なお、本発明の一態様の有機金属錯体は有機薄膜太陽電池に用いることができる。より具体的には、キャリア輸送性があるため、キャリア輸送層に用いることができる。また、光励起するため、発電層として用いることができる。
【０２７５】
また、上記表示部９６３１を具備していれば、図１２に示した形状のタブレット型端末に限定されない。
【０２７６】
また、図１３（Ａ）〜（Ｃ）に、折りたたみ可能な携帯情報端末９３１０を示す。図１３（Ａ）に展開した状態の携帯情報端末９３１０を示す。図１３（Ｂ）に展開した状態又は折りたたんだ状態の一方から他方に変化する途中の状態の携帯情報端末９３１０を示す。図１３（Ｃ）に折りたたんだ状態の携帯情報端末９３１０を示す。携帯情報端末９３１０は、折りたたんだ状態では可搬性に優れ、展開した状態では、継ぎ目のない広い表示領域により表示の一覧性に優れる。
【０２７７】
表示パネル９３１１はヒンジ９３１３によって連結された３つの筐体９３１５に支持されている。なお、表示パネル９３１１は、タッチセンサ（入力装置）を搭載したタッチパネル（入出力装置）であってもよい。また、表示パネル９３１１は、ヒンジ９３１３を介して２つの筐体９３１５間を屈曲させることにより、携帯情報端末９３１０を展開した状態から折りたたんだ状態に可逆的に変形させることができる。本発明の一態様の発光装置を表示パネル９３１１に用いることができる。表示パネル９３１１における表示領域９３１２は折りたたんだ状態の携帯情報端末９３１０の側面に位置する表示領域である。表示領域９３１２には、情報アイコンや使用頻度の高いアプリやプログラムのショートカットなどを表示させることができ、情報の確認やアプリなどの起動をスムーズに行うことができる。
【実施例１】
【０２７８】
≪合成例１≫
本合成例１では、実施の形態において構造式（１００）で表される本発明の有機金属錯体、｛３−［６−（１Ｈ−ピラゾール−１−イル−κＮ２）−１，２−フェニレン−κＣ１］オキシ［７−メチル−５−（２−ピリジニル−κＮ）−５Ｈ−ベンゾイミダゾ［１，２−ａ］ベンゾイミダゾール−３，４−ジイル−κＣ４］｝白金（ＩＩ）（略称：［Ｐｔ（ｐｐｚＯｂｉｂｉｐｙ）］）の合成例を具体的に例示する。［Ｐｔ（ｐｐｚＯｂｉｂｉｐｙ）］の構造式を以下に示す。
【０２７９】
【化４７】
2017119866.tif 000048
【０２８０】
＜ステップ１：Ｎ−（５−ブロモ−２−ニトロフェニル）−ピリジン−２−アミンの合成＞
まず、２−アミノピリジン８．８ｇ（９１ｍｍｏｌ）、ｔ−ブトキシドカリウム２０ｇ（１８０ｍｍｏｌ）を、三口フラスコに入れフラスコ内を窒素置換した。この混合物にテトラヒドロフラン（略称：ＴＨＦ）２５０ｍＬを加え、０℃で１時間攪拌した。その後、ＴＨＦ１５０ｍＬと４−ブロモ−２−フルオロニトロベンゼン２１ｇ（９１ｍｍｏｌ）の混合液を滴下して加え、０℃で５０分間攪拌した。この反応物に酢酸エチルと水を加えてろ過し、ろ液を酢酸エチルで抽出した。抽出液を飽和食塩水で洗浄し、硫酸マグネシウムを加えてろ過した。得られたろ液を濃縮し、セライト（和光純薬工業株式会社、カタログ番号：５３１−１６８５５；以下同じ）、アルミナ、セライトの順に充填したろ過補助剤を通してろ過した。ろ液の溶媒を留去し、得られた残渣をヘキサンで超音波洗浄することにより目的物１６ｇ（収率：６１％、橙色固体）を得た。ステップ１の合成スキームを下記式（ａ−１）に示す。
【０２８１】
【化４８】
2017119866.tif 000049
【０２８２】
＜ステップ２：５−ブロモ−Ｎ−（２−ピリジニル）−１，２−フェニレンジアミンの合成＞
次に、上記ステップ１で合成したＮ−（５−ブロモ−２−ニトロフェニル）−ピリジン−２−アミン１４ｇ（４７ｍｍｏｌ）、水８．４ｇ（４７０ｍｍｏｌ）、エタノール４８０ｍＬ、塩化スズ（ＩＩ）４５ｇ（２３０ｍｍｏｌ）を、還流管を付けた三口フラスコに入れ、窒素気流下にて８０℃で２時間加熱した。この反応物を室温まで冷やし、２Ｍ水酸化ナトリウム水溶液にゆっくり入れ、１時間攪拌した。得られた反応物をろ過し、ろ液をクロロホルムで抽出した。抽出液を水、飽和食塩水にて洗浄し、硫酸マグネシウムを加え、ろ過した。ろ液の溶媒を留去し、得られた残渣をヘキサンで超音波洗浄することにより目的物１０ｇ（収率：８４％、薄赤紫色固体）を得た。ステップ２の合成スキームを下記式（ｂ−１）に示す。
【０２８３】
【化４９】
2017119866.tif 000050
【０２８４】
＜ステップ３：６−ブロモ−１−（２−ピリジニル）−２−ベンゾイミダゾリノンの合成＞
次に、上記ステップ２で合成した５−ブロモ−Ｎ−（２−ピリジニル）−１，２−フェニレンジアミン１１ｇ（４１ｍｍｏｌ）を、還流管を付けた三口フラスコに入れ、ＴＨＦ４５ｍＬ、１，１’−カルボニルジイミダゾール８．６ｇ（５３ｍｍｏｌ）を加え、８０℃で２時間加熱し、室温にて１８時間攪拌した。得られた混合物に水を加え、酢酸エチルで抽出した。抽出液を水、飽和食塩水にて洗浄し、硫酸マグネシウムを加え、ろ過した。ろ液の溶媒を留去し、得られた残渣を酢酸エチルにて再結晶し、目的物８．８ｇ（収率：７５％、黒紫色固体）を得た。ステップ３の合成スキームを下記式（ｃ−１）に示す。
【０２８５】
【化５０】
2017119866.tif 000051
【０２８６】
＜ステップ４：５−ブロモ−１−（３−メチル−２−ニトロフェニル）−３−（２−ピリジニル）−２−ベンゾイミダゾリノンの合成＞
次に、上記ステップ３で合成した６−ブロモ−１−（２−ピリジニル）−２−ベンゾイミダゾリノン８．８ｇ（３０ｍｍｏｌ）、３−フルオロ−２−ニトロトルエン５．２ｇ（３３ｍｍｏｌ）、炭酸カリウム８．４ｇ（６１ｍｍｏｌ）を、還流管を付けた三口フラスコに入れ、フラスコ内を窒素置換し、ジメチルスルホキシド（略称：ＤＭＳＯ）１２０ｍＬを加え、１００℃で２３時間加熱した。得られた反応物をろ過し、ろ液を酢酸エチルで抽出した。抽出液を水、飽和食塩水にて洗浄し、硫酸マグネシウムを加え、ろ過した。ろ液の溶媒を留去し、得られた残渣を酢酸エチル：トルエン＝１：５を展開溶媒としたシリカカラムクロマトグラフィーにて精製し、さらにそれをヘキサンにて洗浄することにより目的物１２ｇ（収率：９１％、黄色固体）を得た。ステップ４の合成スキームを下記式（ｄ−１）に示す。
【０２８７】
【化５１】
2017119866.tif 000052
【０２８８】
＜ステップ５：５−ブロモ−１−（３−メチル−２−アミノフェニル）−３−（２−ピリジニル）−２−ベンゾイミダゾリノンの合成＞
次に、上記ステップ４で合成した５−ブロモ−１−（３−メチル−２−ニトロフェニル）−３−（２−ピリジニル）−２−ベンゾイミダゾリノン１２ｇ（２８ｍｍｏｌ）、水６．２ｇ、エタノール２８０ｍＬ、塩化スズ（ＩＩ）２６ｇ（１４０ｍｍｏｌ）を、還流管を付けた三口フラスコに入れ、窒素気流下にて８０℃で５時間加熱した。得られた反応物を氷で冷やした２Ｍ水酸化ナトリウム水溶液に入れ、１時間攪拌させた。この混合液をクロロホルムで抽出し、抽出液を水、飽和食塩水にて洗浄した。さらにこれに硫酸マグネシウムを加え、ろ過し、ろ液を濃縮した。得られた残渣をヘキサンにて洗浄することにより目的物９．１ｇ（収率：８３％、黄色固体）を得た。ステップ５の合成スキームを下記式（ｅー１）に示す。
【０２８９】
【化５２】
2017119866.tif 000053
【０２９０】
＜ステップ６：３−ブロモ−７−メチル−５−（２−ピリジニル）−５Ｈ−ベンゾイミダゾ［１，２−ａ］ベンゾイミダゾールの合成＞
上記ステップ５で合成した５−ブロモ−１−（３−メチル−２−アミノフェニル）−３−（２−ピリジニル）−２−ベンゾイミダゾリノン１０ｇ（２５ｍｍｏｌ）を三口フラスコに入れ、容器を０℃に冷やした。ここで、塩化ホスホリル１５ｍＬ（１６０ｍｍｏｌ）を滴下し、１００℃で５時間加熱した。得られた反応物にトルエンを加え、氷水へ攪拌しながらゆっくり入れた。ここに３Ｍ水酸化ナトリウム水溶液を加え、１時間攪拌した。得られた混合物をろ過し、ろ物は水、酢酸エチルにて洗浄し、ろ液は酢酸エチルで抽出後、飽和食塩水にて洗浄し、硫酸マグネシウムで乾燥した後、濃縮した。洗浄したろ物と、濃縮で得られた残渣を合わせて、エタノールで超音波洗浄することにより、目的物５．７ｇ（収率：７２％、薄茶色固体）を得た。ステップ６の合成スキームを下記式（ｆ−１）に示す。
【０２９１】
【化５３】
2017119866.tif 000054
【０２９２】
＜ステップ７：３−（１Ｈ−ピラゾール−１−イル）フェノールの合成＞
次に２−ブロモフェノール１．５ｇ（８．８ｍｍｏｌ）、ピラゾール０．５０ｇ（７．３ｍｍｏｌ）、炭酸カリウム１．６ｇ（１５ｍｍｏｌ）、ヨウ化銅０．２８ｇ（１．５ｍｍｏｌ）、ｔｒａｎｓ−Ｎ，Ｎ’−ジメチルシクロヘキサン−１，２−ジアミン２１０ｍｇを還流管を付けた三口フラスコに入れた。フラスコ内を窒素置換し、トルエン３７ｍＬを加え、１１０℃で１３時間加熱した。得られた反応物を酢酸エチルに溶解し、セライトを通した後の溶液を濃縮した。得られた残渣を、酢酸エチル：ヘキサン＝１：２を展開溶媒としたフラッシュカラムクロマトグラフィーにて精製することにより目的物０．７０ｇ（収率：６０％、黄色固体）を得た。ステップ７の合成スキームを下記式（ｇ−１）に示す。
【０２９３】
【化５４】
2017119866.tif 000055
【０２９４】
＜ステップ８：３−［３−（１Ｈ−ピラゾール−１−イル）フェノキシ］−７−メチル−５−（２−ピリジニル）−５Ｈ−ベンゾイミダゾ［１，２−ａ］ベンゾイミダゾール（略称：Ｈ２ｐｐｚＯｂｉｂｉｐｙ）の合成＞
次に、上記ステップ７で合成した３−（１Ｈ−ピラゾール−１−イル）フェノール０．６９ｇ（４．３ｍｍｏｌ）、上記ステップ６で合成した３−ブロモ−７−メチル−５−（２−ピリジニル）−５Ｈ−ベンゾイミダゾ［１，２−ａ］ベンゾイミダゾール１．８ｇ（４．７ｍｍｏｌ）、ヨウ化銅０．２５ｇ（１．３ｍｍｏｌ）、ピコリン酸０．８０ｍｇ（６．５ｍｍｏｌ）、リン酸カリウム１．６ｇ（１５ｍｍｏｌ）、ＤＭＳＯ２２ｍＬを、還流管を付けた三口フラスコに入れ、フラスコ内を窒素置換した。窒素気流下にて１５０℃で２７時間加熱した。得られた反応物をろ過し、ろ物を水、エタノールにて洗浄し固体を得た。得られた固体を、酢酸エチル：ヘキサン＝１：２０を展開溶媒としたシリカカラムクロマトグラフィーにて精製することにより目的物０．３７ｇ（収率１９％、黄白色固体）を得た。ステップ８の合成スキームを下記式（ｈ−１）に示す。
【０２９５】
【化５５】
2017119866.tif 000056
【０２９６】
＜ステップ９：｛３−［６−（１Ｈ−ピラゾール−１−イル−κＮ２）−１，２−フェニレン−κＣ１］オキシ［７−メチル−５−（２−ピリジニル−κＮ）−５Ｈ−ベンゾイミダゾ［１，２−ａ］ベンゾイミダゾール−３，４−ジイル−κＣ４］｝白金（ＩＩ）（略称：［Ｐｔ（ｐｐｚＯｂｉｂｉｐｙ）］）の合成＞
次に、上記ステップ８で合成したＨ２ｐｐｚＯｂｉｂｉｐｙ０．３７ｇ（０．８０ｍｍｏｌ）、テトラクロロ白金（ＩＩ）酸カリウム０．３７ｇ（０．８８ｍｍｏｌ）、氷酢酸１５ｍＬを、還流管を付けた三口フラスコに入れ、窒素気流下にて１３０℃で３０時間加熱した。得られた反応物をろ過し、ろ物を熱クロロホルムに溶解し、セライト、中性シリカゲル、セライトの順に充填したろ過補助剤を通し、ろ過した。ろ液を濃縮し、得られた固体をクロロホルムにて再結晶することにより本発明の有機金属錯体［Ｐｔ（ｐｐｚＯｂｉｂｉｐｙ）］を黄白色固体として得た（収率３１％）。ステップ９の合成スキームを下記式（ｉ−１）に示す。
【０２９７】
【化５６】
2017119866.tif 000057
【０２９８】
なお、上記ステップ９で得られた黄白色固体の核磁気共鳴分光法（１Ｈ−ＮＭＲ）による分析結果を下記に示す。また、１Ｈ−ＮＭＲチャートを図１４に示す。このことから、本合成例において、上述の構造式（１００）で表される本発明の有機金属錯体［Ｐｔ（ｐｐｚＯｂｉｂｉｐｙ）］が得られたことがわかった。
【０２９９】
１Ｈ−ＮＭＲ．δ（ＣＤＣｌ３）：２．７２（ｓ，３Ｈ），６．６０−６．６１（ｔ，１Ｈ），６．９９（ｄ，１Ｈ），７．９６（ｄ，１Ｈ），７．１５−７．２３（ｍ，５Ｈ），７．２８（ｄ，１Ｈ），７．４８（ｄ，１Ｈ），７．６５（ｄ，１Ｈ），７．７１（ｄｓ，１Ｈ），８．０５（ｄｓ，１Ｈ），８．１６−８．１９（ｔ，１Ｈ），９．１３（ｄｓ，１Ｈ）
【０３００】
＜［Ｐｔ（ｐｐｚＯｂｉｂｉｐｙ）］の物性について＞
次に、［Ｐｔ（ｐｐｚＯｂｉｂｉｐｙ）］のジクロロメタン溶液の紫外可視吸収スペクトル（以下、単に「吸収スペクトル」という）及び発光スペクトルを測定した。吸収スペクトルの測定には、紫外可視分光光度計（（株）日本分光製  Ｖ５５０型）を用い、ジクロロメタン溶液を石英セルに入れ、室温で測定を行った。また、発光スペクトルの測定には、絶対ＰＬ量子収率測定装置（（株）浜松ホトニクス製  Ｃ１１３４７−０１）を用い、グローブボックス（（株）ブライト製  ＬＡＢｓｔａｒＭ１３（１２５０／７８０）にて、窒素雰囲気下でジクロロメタン脱酸素溶液を石英セルに入れ、密栓し、室温で測定を行った。得られた吸収スペクトル及び発光スペクトルの測定結果を図１５に示す。横軸は波長、縦軸は吸収強度および発光強度を表す。また、図１５において２本の実線が示されているが、細い実線は吸収スペクトルを示し、太い実線は発光スペクトルを示している。図１５に示す吸収スペクトルは、ジクロロメタン溶液を石英セルに入れて測定した吸収スペクトルから、ジクロロメタンのみを石英セルに入れて測定した吸収スペクトルを差し引いた結果を示している。
【０３０１】
図１５に示す通り、本発明の有機金属錯体［Ｐｔ（ｐｐｚＯｂｉｂｉｐｙ）］は、４７７ｎｍに発光ピークを有しており、ジクロロメタン溶液からは水色の発光が観測された。
【実施例２】
【０３０２】
本実施例では、実施の形態で説明した本発明の一態様の有機金属錯体を用いた発光素子１について説明する。発光素子１で用いた有機化合物の構造式を以下に示す。
【０３０３】
【化５７】
2017119866.tif 000058
【０３０４】
（発光素子１の作製方法）
まず、ガラス基板上に、酸化珪素を含むインジウム錫酸化物（ＩＴＳＯ）をスパッタリング法にて成膜し、第１の電極１０１を形成した。なお、その膜厚は１１０ｎｍとし、電極面積は２ｍｍ×２ｍｍとした。
【０３０５】
次に、基板上に発光素子を形成するための前処理として、基板表面を水で洗浄し、２００℃で１時間焼成した後、ＵＶオゾン処理を３７０秒行った。
【０３０６】
その後、１０−４Ｐａ程度まで内部が減圧された真空蒸着装置に基板を導入し、真空蒸着装置内の加熱室において、１７０℃で３０分間の真空焼成を行った後、基板を３０分程度放冷した。
【０３０７】
次に、第１の電極１０１が形成された面が下方となるように、第１の電極１０１が形成された基板を真空蒸着装置内に設けられた基板ホルダーに固定し、第１の電極１０１上に、抵抗加熱を用いた蒸着法により上記構造式（ｉ）で表される４，４’，４’’−（ベンゼン−１，３，５−トリイル）トリ（ジベンゾチオフェン）（略称：ＤＢＴ３Ｐ−ＩＩ）と酸化モリブデン（ＶＩ）とをＤＢＴ３Ｐ−ＩＩ：酸化モリブデン＝２：１となるように共蒸着して正孔注入層１１１を形成した。膜厚は４５ｎｍとなるように形成した。
【０３０８】
次に、正孔注入層１１１上に、上記構造式（ｉｉ）で表される１２−［３−（９Ｈ−カルバゾール−９−イル）フェニル］−５，１２−ジヒドロ−５−フェニル−インドロ［３，２−ａ］カルバゾール（略称：ｍＣｚＰＩＣｚ）を２０ｎｍ形成して正孔輸送層１１２を形成した。
【０３０９】
続いて、ｍＣｚＰＩＣｚと、上記構造式（ｉｉｉ）で表される３，５−ビス［３−（９Ｈ−カルバゾール−９−イル）フェニル］ピリジン（略称：３５ＤＣｚＰＰｙ）と、上記構造式（１００）で表される｛３−［６−（１Ｈ−ピラゾール−１−イル−κＮ２）−１，２−フェニレン−κＣ１］オキシ［７−メチル−５−（２−ピリジニル−κＮ）−５Ｈ−ベンゾイミダゾ［１，２−ａ］ベンゾイミダゾール−３，４−ジイル−κＣ４］｝白金（ＩＩ）（略称：［Ｐｔ（ｐｐｚＯｂｉｂｉｐｙ）］）とを、重量比０．１５：０．６０：０．２５（＝ｍＣｚＰＩＣｚ：３５ＤＣｚＰＰｙ：［Ｐｔ（ｐｐｚＯｂｉｂｉｐｙ）］）となるように２５ｎｍ共蒸着して発光層１１３を形成した。
【０３１０】
その後、発光層１１３上に、３５ＤＣｚＰＰｙを膜厚１０ｎｍとなるように蒸着した後、上記構造式（ｉｖ）で表されるバソフェナントロリン（略称：ＢＰｈｅｎ）を膜厚１５ｎｍとなるように蒸着し、電子輸送層１１４を形成した。
【０３１１】
電子輸送層１１４を形成した後、フッ化リチウム（ＬｉＦ）を膜厚１ｎｍとなるように蒸着して電子注入層１１５を形成し、続いてアルミニウムを２００ｎｍの膜厚となるように蒸着することで第２の電極１０２を形成して本実施例の発光素子１を作製した。
【０３１２】
発光素子１の素子構造を以下の表にまとめる。
【０３１３】
【表１】
2017119866.tif 000059
【０３１４】
発光素子１を、窒素雰囲気のグローブボックス内において、発光素子が大気に曝されないようにガラス基板により封止する作業（シール材を素子の周囲に塗布し、封止時にＵＶ処理、８０℃にて１時間熱処理）を行った後、これら発光素子の初期特性及び信頼性について測定を行った。なお、測定は室温（２５℃に保たれた雰囲気）で行った。
【０３１５】
発光素子１の輝度−電流密度特性を図１６に、電流効率−輝度特性を図１７に、輝度−電圧特性を図１８に、電流−電圧特性を図１９に、外部量子効率−輝度特性を図２０に、発光スペクトルを図２１に示す。また、発光素子１の１０００ｃｄ／ｍ２付近における主要な特性を表２に示す。
【０３１６】
【表２】
2017119866.tif 000060
【０３１７】
図１６から図２１及び表２より、本発明の一態様である発光素子１は、効率の良好な緑色発光素子であることがわかった。
【実施例３】
【０３１８】
本実施例では、実施の形態の構造式（１００）で表される本発明の一態様である［Ｐｔ（ｐｐｚＯｂｉｂｉｐｙ）］と、比較材料として下記構造式（ｖ）で表される｛３−［６−（１Ｈ−ピラゾール−１−イル−κＮ２）−１，２−フェニレン−κＣ１］オキシ［９−（２−ピリジニル−κＮ）−９Ｈ−カルバゾール−２，１−ジイル−κＣ１］｝白金（ＩＩ）（略称：［Ｐｔ（ｐｐｚＯｃｚｐｙ）］）の計算例を具体的に例示する。［Ｐｔ（ｐｐｚＯｂｉｂｉｐｙ）］および［Ｐｔ（ｐｐｚＯｃｚｐｙ）］の構造を以下に示す。
【０３１９】
【化５８】
2017119866.tif 000061
【０３２０】
分子軌道計算には、Ｇａｕｓｓｉａｎ０９プログラムを使用した。基底関数に６−３１１Ｇを使用して、各分子の一重項基底状態（Ｓ０）を、Ｂ３ＬＹＰ＼６−３１１Ｇを用い、構造最適化を行った。
【０３２１】
計算により求められたＨＯＭＯ準位、ＬＵＭＯ準位を表３に示す。
【０３２２】
【表３】
2017119866.tif 000062
【０３２３】
以上のように、本発明の一態様の有機金属錯体は、類似の構造を有する有機金属錯体と比較して、ＨＯＭＯ準位、ＬＵＭＯ準位共に深くなることがわかる。ＨＯＭＯ準位、ＬＵＭＯ準位が深くなることによって、キャリアの注入が容易となり、駆動電圧の低い発光素子を提供することが可能となる。
【符号の説明】
【０３２４】
１０１    第１の電極
１０２    第２の電極
１０３    ＥＬ層
１１１    正孔注入層
１１２    正孔輸送層
１１３    発光層
１１４    電子輸送層
１１５    電子注入層
１１６    電荷発生層
１１７    Ｐ型層
１１８    電子リレー層
１１９    電子注入バッファ層
４００    基板
４０１    第１の電極
４０３    ＥＬ層
４０４    第２の電極
４０５    シール材
４０６    シール材
４０７    封止基板
４１２    パッド
４２０    ＩＣチップ
５０１    第１の電極
５０２    第２の電極
５０３    ＥＬ層
５１１    第１の発光ユニット
５１２    第２の発光ユニット
５１３    電荷発生層
６０１    駆動回路部（ソース線駆動回路）
６０２    画素部
６０３    駆動回路部（ゲート線駆動回路）
６０４    封止基板
６０５    シール材
６０７    空間
６０８    配線
６０９    ＦＰＣ（フレキシブルプリントサーキット）
６１０    素子基板
６１１    スイッチング用ＦＥＴ
６１２    電流制御用ＦＥＴ
６１３    第１の電極
６１４    絶縁物
６１６    ＥＬ層
６１７    第２の電極
６１８    発光素子
６２３    ｎチャネル型ＦＥＴ
６２４    ｐチャネル型ＦＥＴ
９０１    筐体
９０２    液晶層
９０３    バックライトユニット
９０４    筐体
９０５    ドライバＩＣ
９０６    端子
９５１    基板
９５２    電極
９５３    絶縁層
９５４    隔壁層
９５５    ＥＬ層
９５６    電極
１００１  基板
１００２  下地絶縁膜
１００３  ゲート絶縁膜
１００６  ゲート電極
１００７  ゲート電極
１００８  ゲート電極
１０２０  第１の層間絶縁膜
１０２１  第２の層間絶縁膜
１０２２  電極
１０２４Ｗ  発光素子の第１の電極
１０２４Ｒ  発光素子の第１の電極
１０２４Ｇ  発光素子の第１の電極
１０２４Ｂ  発光素子の第１の電極
１０２５  隔壁
１０２８  ＥＬ層
１０２９  発光素子の第２の電極
１０３１  封止基板
１０３２  シール材
１０３３  透明な基材
１０３４Ｒ  赤色の着色層
１０３４Ｇ  緑色の着色層
１０３４Ｂ  青色の着色層
１０３５  黒色層（ブラックマトリックス）
１０３７  第３の層間絶縁膜
１０４０  画素部
１０４１  駆動回路部
１０４２  周辺部
２００１    筐体
２００２    光源
３００１    照明装置
５０００    表示領域
５００１    表示領域
５００２    表示領域
５００３    表示領域
５００４    表示領域
５００５    表示領域
７１０１    筐体
７１０３    表示部
７１０５    スタンド
７１０７    表示部
７１０９    操作キー
７１１０    リモコン操作機
７２０１    本体
７２０２    筐体
７２０３    表示部
７２０４    キーボード
７２０５    外部接続ポート
７２０６    ポインティングデバイス
７２１０    第２の表示部
７４０１    筐体
７４０２    表示部
７４０３    操作ボタン
７４０４    外部接続ポート
７４０５    スピーカ
７４０６    マイク
９０３３    留め具
９０３４    スイッチ
９０３５    電源スイッチ
９０３６    スイッチ
９３１０    携帯情報端末
９３１１    表示パネル
９３１２    表示領域
９３１３    ヒンジ
９３１５    筐体
９６３０    筐体
９６３１    表示部
９６３１ａ    表示部
９６３１ｂ    表示部
９６３２ａ    タッチパネル領域
９６３２ｂ    タッチパネル領域
９６３３    太陽電池
９６３４    充放電制御回路
９６３５    バッテリー
９６３６    ＤＣＤＣコンバータ
９６３７    操作キー
９６３８    コンバータ
９６３９    ボタン
【図１】
2017119866.tif 000083
【図２】
2017119866.tif 000084
【図３】
2017119866.tif 000085
【図４】
2017119866.tif 000086
【図５】
2017119866.tif 000087
【図６】
2017119866.tif 000088
【図７】
2017119866.tif 000089
【図８】
2017119866.tif 000090
【図９】
2017119866.tif 000091
【図１０】
2017119866.tif 000092
【図１１】
2017119866.tif 000093
【図１２】
2017119866.tif 000094
【図１３】
2017119866.tif 000095
【図１４】
2017119866.tif 000096
【図１５】
2017119866.tif 000097
【図１６】
2017119866.tif 000098
【図１７】
2017119866.tif 000099
【図１８】
2017119866.tif 000100
【図１９】
2017119866.tif 000101
【図２０】
2017119866.tif 000102
【図２１】
2017119866.tif 000103